(57)【要約】【課題】  光学的振り分け素子上でのマーカ形成が不要で既存の同種光学的振り分け素子をそのまま使用することが可能であると共に、光学的振り分け素子と表示パネルの位置合わせ作業が一般的な貼り合わせ装置を使用して実施できるマーカと、表示装置およびその製造方法を提供する。【解決手段】  マーカ４は、互いに異なる平面形状を持つ第１視点用マーカ要素１０ｃ、第２視点用マーカ要素１１ｃ及び第３視点用マーカ要素１２ｃを、マーカ要素ピッチＭＰに等しい幅でそれぞれ分断して得たマーカ要素片１５、１６ａおよび１６ｂ、１７ａおよび１７ｂを、レンチキュラーレンズ２の光振り分け方向ｘに沿ってマーカ要素ピッチＭＰ毎に所定順序で並列して構成される。三つの隣接するマーカ要素片１７ｂ、１６ａおよび１５は、繰り返し周期を形成し、その幅はレンチキュラーレンズ２のレンズピッチに一致する。【選択図】  図２
2010008811.tif 000002
【特許請求の範囲】
【請求項１】
光学的振り分け素子と表示パネルを含む表示装置の製造工程において、前記光学的振り分け素子と前記表示パネルの位置合わせをするために前記表示パネル上に形成されるマーカであって、
互いに異なる平面形状を持つ第１視点用マーカ要素と第２視点用マーカ要素を、所定のマーカ要素ピッチに等しい幅でそれぞれ分断して形成された複数の第１視点用マーカ要素片と複数の第２視点用マーカ要素片を含み、
複数の前記第１視点用マーカ要素片と複数の前記第２視点用マーカ要素片は、前記光学的振り分け素子の光振り分け方向に沿って、所定のマーカ要素ピッチ毎に所定の順序で並列されて一つのパターンを形成しており、
所定数の互いに隣接する前記第１視点用マーカ要素片と前記第２視点用マーカ要素片は、一つの繰り返し周期を形成していて、その幅は、前記光学的振り分け素子を構成する複数の構成要素の並列ピッチに一致していることを特徴とするマーカ。
【請求項２】
複数の前記第１視点用マーカ要素片と複数の前記第２視点用マーカ要素片が、前記光振り分け方向に沿って交互に並列されており、
互いに隣接する一つの前記第１視点用マーカ要素片と一つの前記第２視点用マーカ要素片が、前記繰り返し周期を形成している請求項１に記載のマーカ。
【請求項３】
第３視点用マーカ要素を前記マーカ要素ピッチに等しい幅で分断して形成された複数の第３視点用マーカ要素片をさらに含んでおり、
複数の前記第３視点用マーカ要素片が、複数の前記第１視点用マーカ要素片および複数の前記第２視点用マーカ要素片と共に前記光振り分け方向に沿って前記マーカ要素ピッチ毎に並列されて前記パターンを形成しており、
互いに隣接する一つの前記第１視点用マーカ要素片と一つの前記第２視点用マーカ要素片と一つの前記第３視点用マーカ要素片とが、前記繰り返し周期を形成している請求項１に記載のマーカ。
【請求項４】
前記マーカ要素ピッチに等しい幅を持つ複数の空白部をさらに含んでおり、
複数の前記空白部が、複数の前記第１視点用マーカ要素片および複数の前記第２視点用マーカ要素片と共に前記光振り分け方向に沿って前記マーカ要素ピッチ毎に並列されて前記パターンを形成しており、
互いに隣接する一つの前記第１視点用マーカ要素片と一つの前記第２視点用マーカ要素片と一つの前記空白部とが、前記繰り返し周期を形成している請求項１に記載のマーカ。
【請求項５】
前記光学的振り分け素子を通して前記表示パネル上の前記マーカを所定の視認距離からカメラで撮像すると、前記光学的振り分け素子と前記表示パネルの位置が整合した場合に合成像が視認されず、前記光学的振り分け素子と前記表示パネルの位置が不整合の場合に所定の合成像が視認される請求項４に記載のマーカ。
【請求項６】
前記繰り返し周期が、前記第１視点用マーカ要素片と前記第２視点用マーカ要素片と前記第３視点用マーカ要素片の少なくとも一つを、二つ以上含んでいる請求項３に記載のマーカ。
【請求項７】
前記第１視点用マーカ要素と前記第２視点用マーカ要素が、それぞれ、それらの初期平面形状を前記光振り分け方向に（１／前記繰り返し周期に含まれる前記マーカ要素片の数）に縮小したものである請求項１または２に記載のマーカ。
【請求項８】
前記第１視点用マーカ要素と前記第２視点用マーカ要素と前記第３視点用マーカ要素とが、それぞれ、それらの初期平面形状を前記光振り分け方向に（１／前記繰り返し周期に含まれる前記マーカ要素片の数）に縮小したものである請求項３〜６のいずれか１項に記載のマーカ。
【請求項９】
複数の視点に対して異なる画像を表示する表示装置であって、
表示パネルと、
前記表示パネル上に形成された、請求項１〜８のいずれか１項に記載のマーカと、
前記表示パネルに装着された光学的振り分け素子と
を備えてなることを特徴とする表示装置。
【請求項１０】
前記マーカが、前記表示パネルの非表示領域に、前記光振り分け方向に直交する方向に沿って３箇所以上に配置されている請求項９に記載の表示装置。
【請求項１１】
前記光学的振り分け素子が、その光振り分け方向に並列された複数の前記構成要素に加えて、前記光振り分け方向に直交する光振り分け方向を持つ追加の構成要素を有しており、
前記表示パネルが、前記マーカを当該表示パネルに平行な面内で９０゜回転させて得た追加のマーカを有している請求項９または１０に記載の表示装置。
【請求項１２】
複数の視点に対して異なる画像を表示する表示装置の製造方法であって、
表示パネルの所定位置に請求項１〜８のいずれか１項に記載のマーカを形成し、
光学的振り分け素子を通して視認される前記マーカの像を利用して、前記表示パネルと前記光学振り分け素子とを位置合わせし、
位置合わせ完了後に前記光学的振り分け素子を前記表示パネルに固定する
ことを特徴とする表示装置の製造方法。
【請求項１３】
前記マーカが、前記表示パネルの非表示領域に、前記光振り分け方向に直交する方向に沿って３箇所以上に配置される請求項１２に記載の表示装置の製造方法。
【請求項１４】
前記光学的振り分け素子に、その光振り分け方向に並列された複数の前記構成要素に加えて、前記光振り分け方向に直交する光振り分け方向を持つ追加の構成要素が設けられており、
前記表示パネルに、前記マーカを当該表示パネルに平行な面内で９０゜回転させて得た追加のマーカが設けられる請求項１２または１３に記載の表示装置の製造方法。
【発明の詳細な説明】
【技術分野】
【０００１】
本発明は、位置合わせ用マーカ、それを用いた表示装置およびその製造方法に関し、さらに言えば、複数の視点に対して異なる画像を表示する表示装置（例えば立体画像表示装置）の製造工程において、レンチキュラーレンズ等の光学的振り分け素子と表示パネルとの位置合わせに使用されるマーカ、そのマーカを用いた表示装置、およびその表示装置の製造方法に関する。
【背景技術】
【０００２】
液晶表示装置は近年、その低消費電力、軽量、薄型という特性を活かすべく、プロジェクタ装置、携帯電話機等の小型の電子機器への搭載が急増している。他方、液晶表示装置に付加価値を加えた製品も開発されており、その一例が、異なる視点用に光を振り分けて画像を分離する光学素子（光学的画像分離素子、光学的振り分け素子）を用いて立体画像を表示できるようにした立体液晶表示装置が挙げられる。この種の立体液晶表示装置では、観察者は専用メガネを使用せずに裸眼で立体画像を視認することが可能である。光学的画像分離素子としては、レンチキュラーレンズ、フライアイレンズ等のレンズや、視差バリアが使用されるのが一般的である。
【０００３】
ところで、複数の視点に対してそれぞれ異なる画像（すなわち立体画像）を表示する表示装置（例えば立体液晶表示装置）を製造する際には、従来、大きく分けて以下の３つの方法によって、レンズと表示パネルとの位置合わせが行われている。
【０００４】
第１の位置合わせ方法は、表示パネルとレンズにそれぞれマーカを形成し、表示パネル上のマーカとレンズ上のマーカとを整合させることにより、表示パネルとレンズの位置合わせを行う方法であり、特開平５−１８８４９８号公報に開示されている。同公報に開示された方法を図１６に示す。
【０００５】
第１の位置合わせ方法では、図１６に示すように、表示パネル１００上の所定箇所に貼り合わせ用位置決めマーク１０１を設けるとともに、レンズ１０２（同公報ではレンチキュラーレンズ）の表面の所定箇所にも位置決めマーク（図示せず）を設ける。そして、位置決め装置１０３の観視手段１０４を用いて、レンズ１０２上の位置決めマークによるマーク像１０５と、表示パネル１００上の位置決めマーク１０１とを一致させることにより、表示パネル１００とレンズ１０２とを位置合わせする（要約、図１、図４を参照）。
【０００６】
第２の位置合わせ方法は、入射光をレンズに照射して集光像を生成し、その集光像と表示パネルに形成したマーカとを整合させることにより、表示パネルとレンズの位置合わせを行う方法であり、特開平１０−１４９１１０号公報および特開２０００−１９４２７７号公報に開示されている。図１７は特開平１０−１４９１１０号公報に開示された方法の一例を、図１８は特開２０００−１９４２７７号公報に開示された方法の一例をそれぞれ示す。
【０００７】
図１７に示した第２の位置合わせ方法では、表示パネル１５０（同公報では駆動基板）の表示領域外の所定箇所に、所定間隔毎に直線群を平行に配置してなるアライメントマーカ１５１を設ける。そして、レンズ１５２（同公報では対向基板上に形成されたシリンドリカルレンズ）に入射光１５３を入射させ、当該レンズ１５２の集光特性により表示パネル１５０上に形成される集光像１５４と、前記アライメントマーカ１５１とを一致させることにより、表示パネル１５０とレンズ１５２とを位置合わせする（要約、図４、段落００２０〜００２２を参照）。
【０００８】
図１８に示した第２の位置合わせ方法では、図１８に示すような構成を持つ貼り合わせ装置２００を使用する。貼り合わせ装置２００のテーブル上に、図１８に示すようにマイクロレンズ基板２０４と液晶表示素子２０５を重ねて載置する。そして、レーザ光源２０１から出射されたレーザ光をハーフミラー２０２とミラー２０３を介してマイクロレンズ基板２０４に照射して集光させ、その下位にある液晶表示素子２０５に光スポットを形成する。そして、当該光スポットの位置と液晶表示素子２０５上の所定位置とを、顕微鏡２０６の映像を映すモニタテレビジョン２０７で比較しながら、当該光スポットの位置が液晶表示素子２０５上の前記所定位置と一致するように位置合わせをする（要約、図１、段落００４２〜００４７）。
【０００９】
第３の位置合わせ方法は、表示パネルの表示領域外に形成した特定のパターンの見え方の変化を利用して、表示パネルとレンズの位置合わせを行う方法であり、特開平１１−３５２４４１号公報および特開平１１−１５０８６号公報に開示されている。図１９は特開平１１−３５２４４１号公報に開示された方法の一例を、図２２は特開平１１−１５０８６号公報に開示された方法の一例をそれぞれ示す。
【００１０】
図１９に示した第３の位置合わせ方法は、複数の主画像領域２５１と、それらの周囲に形成された矩形枠状のゲージ領域２５２とを有する印刷物２５０の製造に使用されるものである。印刷物２５０のゲージ領域２５２には、所定幅の直線群を所定間隔で平行に配列してなるパターンを持つゲージ２５３が印刷されている。この位置合わせ方法では、印刷用紙上にこのように印刷されたゲージ２５３を用いて印刷見当を検出する。
【００１１】
印刷見当がずれている場合には、図２０（Ａ）に示すように、ゲージ２５３を形成する直線群の各々は明確に分離することがなく、隣接する直線間の空白部であるべき部分にも印刷が行われてしまい、ゲージ２５３全体がいわば潰れた状態となる。一方、印刷見当が合っている場合には、図２０（Ｂ）に示すように、ゲージ２５３を形成する直線群の各々が明確に分離して印刷され、ゲージ２５３は潰れない。従って、ゲージ２５３の印刷状態が図２０（Ａ）の状態であるか、図２０（Ｂ）の状態であるかによって、印刷見当を容易にかつ高精度で検出することができる。
【００１２】
また、印刷物２５０に対してシート状のレンチキュラーレンズを貼り付ける工程において、レンチキュラーレンズを通して印刷物２５０を見た場合、図２１（Ａ）〜（Ｄ）に示すような画像が得られる。貼り合わせ見当がずれているときは、ゲージ領域２５２にモアレ模様が発生するため、センサーにより得られるゲージ２５３の画像は、図２１（Ａ）、（Ｂ）または（Ｃ）に示すように、濃淡の値が所定の値からずれたり、濃淡の値がばらついたりする。貼り合わせ見当が合っているときは、ゲージ領域２５２にモアレ模様が発生しないため、センサーにより得られるゲージ２５３の画像は、図２１（Ｄ）に示すように、濃度が一様になる。このようにして、ゲージ２５３の見え方の相違から、貼り合わせ見当を容易に検出することができる（要約、図１〜２、図６〜８、段落００２３〜００２８を参照）。
【００１３】
図２２に示した第３の位置合わせ方法では、視差を有する複数枚の画像を線状の画素単位で同一平面上に配置されてなる合成画像３００の特定の位置、例えば、合成画像３００の表示領域（有効領域）外の左右両端部において、レンチキュラーレンズを形成するシリンドリカルレンズ（図示せず）に対向する位置に、直線状の黒ライン３０１をそれぞれ配置する。そして、前記レンチキュラーレンズ（図示せず）を通して、これら黒ライン３０１のいずれか一方の全体を視認できるように位置決めすることにより、前記レンチキュラーレンズと合成画像３００とを位置合わせする（要約、図８〜９、段落００２２〜００３０を参照）。
【特許文献１】特開平５−１８８４９８号公報
【特許文献２】特開平１０−１４９１１０号公報
【特許文献３】特開２０００−１９４２７７号公報
【特許文献４】特開平１１−３５２４４１号公報
【特許文献５】特開平１１−１５０８６号公報
【発明の開示】
【発明が解決しようとする課題】
【００１４】
図１６に示した第１の位置合わせ方法では、表示パネル１００上の位置決めマーク１０１の位置と、レンズ１０２の表面にある位置決めマークとの位置とを整合させるので、表示パネル１００だけでなく、レンズ１０２の表面にも高精度に位置決めマークを形成する必要がある。しかしながら、一般的に、この種の位置決めマークの形成には、フォトリソグラフィや印刷、スタンプ、インクジェット等の技術を用いるため、下地の凹凸の影響を受けやすい。したがって、レンズ１０２の表面に高精度に位置決めマークを形成することは困難である。
【００１５】
レンズ１０２の裏面に位置決めマークを形成することもできるが、その場合、レンズ１０２の精度に対応させるために、位置決め装置１０３は、レンズ１０２の表面と裏面の両面でのアライメント作業ができるものでなければならない。
【００１６】
また、この第１の位置合わせ方法では、上述したような高価な位置決め装置１０３が必要となるだけでなく、位置決めマークをレンズ１０２に形成する工程が必要なため、レンズ１０２の生産にもコストがかかる。よって、当該表示パネル１００を使用する表示装置の生産コストが増加するという問題がある。
【００１７】
図１７に示した第２の位置合わせ方法では、レンズ１５２に照射した入射光１５３により表示パネル１５０上に形成される集光像１５４と、表示パネル１５０上のアライメントマーカ１５１とを一致させて、表示パネル１５０とレンズ１５２とを位置合わせするため、換言すれば、レンズ１５２上にはアライメントマーカが存在しないため、一般的な位置合わせ装置が使用できず、この方法用に構成された特別な位置合わせ装置が必要である。したがって、位置合わせ装置が高コストになるという問題がある。
【００１８】
また、図１７の第２の位置合わせ方法では、レンズ１５２により表示パネル１５０上に形成される集光像１５４が、レンズ１５２の厚さ、表示パネル１５０の厚さまたは接着層の厚さのバラツキにより合焦できないことがあり、その場合には集光像１５４が不鮮明になる。このため、表示装置ごとに光源の調整を行うことが必須である。よって、位置合わせに非常に時間がかかり、生産性が低下するという問題がある。
【００１９】
図１８に示した第２の位置合わせ方法においても、これと同様の問題がある。すなわち、レーザ光源２０１から出射されたレーザ光を、マイクロレンズ基板２０４を介して液晶表示素子２０５に光スポットを形成し、当該光スポットの位置と液晶表示素子２０５上の所定位置とを、視覚的に比較しながら位置合わせをするため、位置合わせに非常に時間がかかり、生産性が低下するという問題がある。
【００２０】
図１９に示した第３の位置合わせ方法では、印刷物２５０と既存のレンチキュラーレンズとに対して、印刷物２５０の表示領域（複数の主画像領域２５１）の外部にあるゲージ領域２５２に特定パターンのゲージ２５３を形成し、画像の濃淡とモアレの有無を利用して位置合わせをする。しかし、この方法では、レンチキュラーレンズの振分方向と回転方向の相対的位置ズレについては言及されていない。このため、位置合わせに非常に時間がかかり、生産性が低下するという問題がある。
【００２１】
図２２に示した第３の位置合わせ方法では、合成画像３００の特定の位置に直線状の黒ライン３０１をそれぞれ配置し、レンチキュラーレンズを通してこれら黒ライン３０１のいずれか一方の全体を視認できるように位置合わせを行うが、この方法においても、レンチキュラーレンズの振分方向の相対的な位置ズレについて言及されていないため、図１９に示した第３の位置合わせ方法と同様の問題がある。
【００２２】
本発明は、上述した従来技術の問題を考慮してなされたものであり、その目的とするところは、光学的振り分け素子（例えばレンチキュラーレンズ）上でのマーカ形成が不要で既存の同種光学的振り分け素子をそのまま使用することが可能であると共に、光学的振り分け素子と表示パネルの位置合わせ作業が一般的な貼り合わせ装置を使用して実施できる、位置合わせ用マーカ、それを用いた表示装置およびその製造方法を提供することにある。
【００２３】
本発明の他の目的は、光学的振り分け素子と表示パネルの位置が整合したか否かを容易に判別することができるだけでなく、光学的振り分け素子と表示パネルの位置が整合しない場合にその位置ズレの方向と量を容易に知ることができる、位置合わせ用マーカ、それを用いた表示装置およびその製造方法を提供することにある。
【００２４】
本発明のさらに他の目的は、光学的振り分け素子と表示パネルを含む表示装置の生産コストを低減できると共に、その生産性も向上できる、位置合わせ用マーカ、それを用いた表示装置およびその製造方法を提供することにある。
【００２５】
ここに明記しない本発明の他の目的は、以下の説明及び添付図面から明らかである。
【課題を解決するための手段】
【００２６】
（１）  本発明の第１の観点によれば、位置合わせ用マーカが提供される。この位置合わせ用マーカは、
光学的振り分け素子（例えばレンチキュラーレンズ）と表示パネルを含む表示装置の製造工程において、前記光学的振り分け素子と前記表示パネルの位置合わせをするために前記表示パネル上に形成されるマーカであって、
互いに異なる平面形状を持つ第１視点用マーカ要素と第２視点用マーカ要素を、所定のマーカ要素ピッチに等しい幅でそれぞれ分断して形成された複数の第１視点用マーカ要素片と複数の第２視点用マーカ要素片を含み、
複数の前記第１視点用マーカ要素片と複数の前記第２視点用マーカ要素片は、前記光学的振り分け素子の光振り分け方向に沿って、所定のマーカ要素ピッチ毎に所定の順序で並列されて一つのパターンを形成しており、
所定数の互いに隣接する前記第１視点用マーカ要素片と前記第２視点用マーカ要素片は、一つの繰り返し周期（グループ）を形成していて、その幅は、前記光学的振り分け素子を構成する複数の構成要素（例えばシリンドリカルレンズ）の並列ピッチ（例えばレンズピッチ）に一致していることを特徴とするものである。
【００２７】
本発明の第１の観点による位置合わせ用マーカは、上述した構成を有しているので、前記光学的振り分け素子を通して前記表示パネル上の前記マーカを所定の視認距離からカメラで撮像すると、前記光学的振り分け素子と前記表示パネルの位置が整合した場合と不整合の場合とで、異なる状態が視認される。例えば、前記光学的振り分け素子と前記表示パネルの位置が整合した場合と不整合の場合とで、異なる合成像が視認され、あるいは、位置が整合した場合に合成像が視認されず（消失し）、位置が不整合の場合に合成像が視認される。このため、前記光学的振り分け素子と表示パネルの位置が整合したか否かを容易に判別することができる。
【００２８】
また、前記光学的振り分け素子と前記表示パネルの位置が不整合の場合は、前記光振り分け方向に沿った位置ズレの方向と量に応じて、異なる合成像が視認される、換言すれば、視認される合成像が前記位置ズレの方向と量に応じて変化する。このため、前記光学的振り分け素子と前記表示パネルの位置ずれの方向と量を容易に知ることができる。
【００２９】
したがって、前記光学的振り分け素子上でのマーカ形成が不要で既存の同種光学的振り分け素子をそのまま使用することが可能であると共に、前記光学的振り分け素子と前記表示パネルの位置合わせ作業が一般的な貼り合わせ装置を使用して実施することができる。
【００３０】
さらに、上述したとおり、既存の光学的振り分け素子と一般的な貼り合わせ装置が使用可能であり、また、前記光学的振り分け素子と前記表示パネルの位置の整合・不整合を上述のようにして判別することから、その判別作業が迅速に行え、位置ズレの修正も迅速に行える。よって、前記光学的振り分け素子と前記表示パネルを含む表示装置の生産コストを低減することができると共に、その生産性を向上することもできる。
【００３１】
（２）  本発明の第１の観点による位置合わせ用マーカの好ましい例では、複数の前記第１視点用マーカ要素片と複数の前記第２視点用マーカ要素片が、前記光振り分け方向に沿って交互に並列され、互いに隣接する一つの前記第１視点用マーカ要素片と一つの前記第２視点用マーカ要素片が、前記繰り返し周期を形成する。
【００３２】
この例では、前記第１視点用マーカ要素片と前記第２視点用マーカ要素片だけで構成されるので、当該マーカの構成がシンプルになるという効果がある。
【００３３】
（３）  本発明の第１の観点による位置合わせ用マーカの他の好ましい例では、第３視点用マーカ要素を前記マーカ要素ピッチに等しい幅で分断して形成された複数の第３視点用マーカ要素片をさらに含んでおり、
複数の前記第３視点用マーカ要素片が、複数の前記第１視点用マーカ要素片および複数の前記第２視点用マーカ要素片と共に前記光振り分け方向に沿って前記マーカ要素ピッチ毎に並列されて前記パターンを形成しており、
互いに隣接する一つの前記第１視点用マーカ要素片と一つの前記第２視点用マーカ要素片と一つの前記第３視点用マーカ要素片とが、前記繰り返し周期を形成する。
【００３４】
この例では、前記第１視点用マーカ要素片と前記第２視点用マーカ要素片に加えて、前記第３視点用マーカ要素片が使用されるので、前記第１視点用マーカ要素片と前記第２視点用マーカ要素片のみが使用された場合よりも当該マーカの構成は少し複雑になるが、前記光学的振り分け素子と前記表示パネルの位置の整合・不整合に視認される状態の差異と、がいっそう明確となり、また、前記位置ズレの方向と量に応じて視認される合成像の変化がいっそう明確になる、という効果がある。
【００３５】
（４）  本発明の第１の観点による位置合わせ用マーカのさらに他の好ましい例では、前記マーカ要素ピッチに等しい幅を持つ複数の空白部をさらに含んでおり、
複数の前記空白部が、複数の前記第１視点用マーカ要素片および複数の前記第２視点用マーカ要素片と共に前記光振り分け方向に沿って前記マーカ要素ピッチ毎に並列されて前記パターンを形成しており、
互いに隣接する一つの前記第１視点用マーカ要素片と一つの前記第２視点用マーカ要素片と一つの前記空白部とが、前記繰り返し周期を形成する。
【００３６】
この例では、前記第１視点用マーカ要素片と前記第２視点用マーカ要素片に加えて、前記空白部が使用されるので、前記第１視点用マーカ要素片と前記第２視点用マーカ要素片のみが使用された場合よりも当該マーカの構成は少し複雑になるが、複数の前記第３視点用マーカ要素片を追加使用した場合よりはシンプルである。また、前記光学的振り分け素子と前記表示パネルの位置の整合・不整合に視認される状態の差異と、がいっそう明確となり、また、前記位置ズレの方向と量に応じて視認される合成像の変化がいっそう明確になる、という効果がある。
【００３７】
（５）  上記（４）の例では、前記光学的振り分け素子を通して前記表示パネル上の前記マーカを所定の視認距離からカメラで撮像すると、前記光学的振り分け素子と前記表示パネルの位置が整合した場合に合成像が視認されず、前記光学的振り分け素子と前記表示パネルの位置が不整合の場合に所定の合成像が視認されるようにするのが好ましい。
【００３８】
（６）  上記（３）の例では、前記繰り返し周期が、前記第１視点用マーカ要素片と前記第２視点用マーカ要素片と前記第３視点用マーカ要素片の少なくとも一つを、二つ以上含むのが好ましい。
【００３９】
この例では、前記繰り返し周期が、前記第１視点用マーカ要素片と前記第２視点用マーカ要素片と前記第３視点用マーカ要素片を一つずつ含む場合に比べて、位置合わせ制度が向上するという効果がある。
【００４０】
（７）  上記（１）〜（２）の例では、前記第１視点用マーカ要素と前記第２視点用マーカ要素が、それぞれ、それらの初期平面形状を前記光振り分け方向に（１／前記繰り返し周期に含まれる前記マーカ要素片の数）に縮小したものとされるのが好ましい。
【００４１】
（８）  上記（３）または（６）の例では、前記第１視点用マーカ要素と前記第２視点用マーカ要素と前記第３視点用マーカ要素とが、それぞれ、それらの初期平面形状を前記光振り分け方向に（１／前記繰り返し周期に含まれる前記マーカ要素片の数）に縮小したものとされるのが好ましい。
【００４２】
（９）  本発明の第２の観点によれば、表示装置が提供される。この表示装置は、
複数の視点に対して異なる画像を表示する表示装置であって、
表示パネルと、
前記表示パネル上に形成された、上記（１）〜（８）のいずれかに記載のマーカと、
前記表示パネルに装着された光学的振り分け素子と
を備えてなることを特徴とするものである。
【００４３】
本発明の第２の観点による表示装置では、上記（１）〜（８）のいずれかに記載のマーカが前記表示パネル上に形成されており、その表示パネルに前記光学的振り分け素子が装着されているので、本発明の第１の観点によるマーカについて述べたのと同じ理由により、当該マーカと同様の効果が得られることが明らかである。
【００４４】
（１０）  本発明の第２の観点による表示装置の好ましい例では、前記マーカが、前記表示パネルの非表示領域に、前記光振り分け方向に直交する方向に沿って３箇所以上に配置される。
【００４５】
この例では、前記マーカが３箇所以上に配置されているので、それらマーカから生成される画像を一致させることにより、回転方向の位置合わせが容易に行えるという効果がある。
【００４６】
（１１）  本発明の第２の観点による表示装置の他の好ましい例では、前記光学的振り分け素子が、その光振り分け方向に並列された複数の前記構成要素に加えて、前記光振り分け方向に直交する光振り分け方向を持つ追加の構成要素を有し、前記表示パネルが、前記マーカを当該表示パネルに平行な面内で９０゜回転させて得た追加のマーカを有する。
【００４７】
この例では、前記光振り分け方向における位置ズレ方向および位置ズレ量に加えて、前記追加の構成要素と前記追加のマーカによって、前記光振り分け方向に直交する方向への位置ズレ方向および位置ズレ量をも知ることができ、生産性がいっそう向上するという効果がある。
【００４８】
（１２）  本発明の第３の観点によれば、表示装置の製造方法が提供される。この表示装置の製造方法は、
複数の視点に対して異なる画像を表示する表示装置の製造方法であって、
表示パネルの所定位置に上記（１）〜（８）のいずれかに記載のマーカを形成し、
光学的振り分け素子を通して視認される前記マーカの像を利用して、前記表示パネルと前記光学振り分け素子とを位置合わせし、
位置合わせ完了後に前記光学的振り分け素子を前記表示パネルに固定する
ことを特徴とするものである。
【００４９】
本発明の第３の観点による表示装置の製造方法では、上記のようにして前記光学的振り分け素子を前記表示パネルに装着するので、本発明の第１の観点による位置合わせ用マーカについて述べたのと同じ理由により、当該マーカと同様の効果が得られることが明らかである。
【００５０】
（１３）  本発明の第２の観点による表示装置の製造方法の好ましい例では、前記マーカが、前記表示パネルの非表示領域に、前記光振り分け方向に直交する方向に沿って３箇所以上に配置される。
【００５１】
この例では、前記マーカが３箇所以上に配置されているので、それらマーカから生成される画像を一致させることにより、回転方向の位置合わせが容易に行えるという効果がある。
【００５２】
（１４）  本発明の第２の観点による表示装置の製造方法の他の好ましい例では、前記光学的振り分け素子に、その光振り分け方向に並列された複数の前記構成要素に加えて、前記光振り分け方向に直交する光振り分け方向を持つ追加の構成要素が設けられ、
前記表示パネルに、前記マーカを当該表示パネルに平行な面内で９０゜回転させて得た追加のマーカが設けられる。
【００５３】
この例では、前記光振り分け方向における位置ズレ方向および位置ズレ量に加えて、前記追加の構成要素と前記追加のマーカによって、前記光振り分け方向に直交する方向への位置ズレ方向および位置ズレ量をも知ることができ、生産性がいっそう向上するという効果がある。
【発明の効果】
【００５４】
本発明の位置合わせ用マーカ、表示装置およびその製造方法によれば、（ａ）光学的振り分け素子（例えばレンチキュラーレンズ）上でのマーカ形成が不要で既存の同種光学的振り分け手段をそのまま使用することが可能であると共に、光学的振り分け素子と表示パネルの位置合わせ作業が一般的な貼り合わせ装置を使用して実施できる、（ｂ）光学的振り分け素子と表示パネルの位置が整合したか否かを容易に判別することができるだけでなく、光学的振り分け素子と表示パネルの位置が整合しない場合にその位置ズレの方向と量を容易に知ることができる、（ｃ）光学的振り分け素子と表示パネルを含む表示装置の生産コストを低減できると共に、その生産性も向上できる、といった効果が得られる。
【発明を実施するための最良の形態】
【００５５】
以下、本発明の好適な実施の形態について添付図面を参照しながら説明する。
【００５６】
（第１実施形態）
図１（Ａ）〜（Ｅ）は、本発明の第１実施形態に係る表示装置１の製造方法において、レンチキュラーレンズ２と位置合わせ用マーカ４との位置関係と、レンチキュラーレンズ２を通して表示パネル３上のマーカ４をカメラＣで撮像したときに得られる合成像５ａ，５ｂ，５ｃ，５ｄおよび５ｅとの関係を示す。
【００５７】
本第１実施形態に係る表示装置１は、図１（Ｃ）に示すように、複数の位置合わせ用マーカ４が一面に設けられた表示パネル３と、当該表示パネル３の所定位置に貼り合わされるシート状レンチキュラーレンズ（レンチキュラーレンズ・シート）２とを備えている。
【００５８】
表示パネル３は、ここでは、公知の液晶表示パネルの構成を有しており、主基板と、所定の隙間をあけて前記主基板に接合・一体化された対向基板と、これら二つの基板間の隙間内に配置された液晶層とを備えている。液晶表示パネルの構成はよく知られているから、これ以上の説明は省略する。
【００５９】
表示パネル３の前面（対向基板側の主面）の所定位置には、同一構成のマーカ４が３個、形成されている。図４に示すように、これらのマーカ４はすべて、表示パネル３の表示領域２０の外部、すなわち非表示領域２１にある。各マーカ４の平面形状（パターン）は、図２（Ｄ）に示すとおりであるが、その詳細は後述する。
【００６０】
レンチキュラーレンズ２は、全体が長方形のシート状になっていて、表示パネル３の前面（対向基板側の主面）に装着される。レンチキュラーレンズ２は、図３に示すように、蒲鉾状の凸型シリンドリカルレンズ（レンズ要素）６を複数個、その短辺方向（すなわち光振り分け方向）ｘに連結して構成されている。シリンドリカルレンズ６の各々は、その中心軸に対して左右に（つまり光振り分け方向ｘに）入射光を振り分けて（画像を分離して）左眼（第１視点）及び右眼（第２視点）に向けて出射する光素子であり、光学的振り分け素子（光学的画像分離素子）として機能する。シリンドリカルレンズ６により、人間の視差が再現され、左眼と右眼に対して異なる画像を表示することができる。
【００６１】
レンチキュラーレンズ２を表示パネル３の前面に装着する際には、そのシリンドリカルレンズ６の一つが、表示パネル３の表示領域２０の内部にマトリックス状に形成された複数の単位画素と重なり合うようにする。当該単位画素の各々は左眼用サブ画素と右眼用サブ画素とから構成されているので、シリンドリカルレンズ６の一つが、対応する単位画素を構成する左眼用サブ画素と右眼用サブ画素と重なり合うことになる。この時、レンチキュラーレンズ２は表示領域２０より少し大きいため、シリンドリカルレンズ６は非表示領域２１にあるマーカ４とも重なり合うことができる。
【００６２】
本第１実施形態の表示装置１では、図４に示すように、レンチキュラーレンズ２を通して表示パネル３上の各マーカ４を所定の視認距離ＡからカメラＣで撮像したとき、図１（Ａ）〜（Ｅ）に示すような合成像５ａ，５ｂ，５ｃ，５ｄまたは５ｅが視認されるようになっている。これらの合成像５ａ，５ｂ，５ｃ，５ｄおよび５ｅを利用することにより、以下に述べるように、レンチキュラーレンズ２を表示パネル３上の所望箇所に位置合わせして装着することができる。
【００６３】
レンチキュラーレンズ２が、表示パネル３上の所望の位置（最適な位置）にある場合、図１（Ｃ）に示すようなマーカ４の合成像５ｃが生成される。合成像５ｃは、矩形枠状のパターンである。
【００６４】
レンチキュラーレンズ２に対して表示パネル３が左側に少しずれていると、図１（Ｂ）に示すようなマーカ４の合成像５ｂが生成される。合成像５ｂは、縦方向に延在する細い２本の直線と、横方向に延在する３本の破断線（中央の破断線が太く、上下の破断線が細い）とからなるパターンである。
【００６５】
レンチキュラーレンズ２に対して表示パネル３がさらに左側にずれていると、図１（Ａ）に示すようなマーカ４の合成像５ａが生成される。合成像５ａは、横方向に延在する１本の直線からなるパターンである。
【００６６】
逆に、レンチキュラーレンズ２に対して表示パネル３が右側に少しずれていると、図１（Ｄ）に示すようなマーカ４の合成像５ｄが生成される。合成像５ｄは、縦方向に延在する細い３本の直線（中央の直線が太く、左右の直線が細い）と、横方向に延在する３本の破断線とからなるパターンである。
【００６７】
レンチキュラーレンズ２に対して表示パネル３がさらに右側にずれていると、図１（Ｅ）に示すようなマーカ４の合成像５ｅが生成される。合成像５ｅは、縦方向に延在する１本の太い直線と、それより細く横方向に延在する１本の太い直線とからなる十字形のパターンである。
【００６８】
図１（Ａ）〜（Ｅ）に示す合成像５ａ，５ｂ，５ｃ，５ｄおよび５ｅは、明確に異なっているから、容易に判別することができる。したがって、表示パネル３とレンチキュラーレンズ２とを貼り合わせる際に、レンチキュラーレンズ２を介在させて所定の視認距離Ａから表示パネル３上のマーカ４を視認すると、レンチキュラーレンズ２に対する表示パネル３の位置ズレ方向とそのズレ量に応じて明確に異なる合成像５ａ，５ｂ，５ｃ，５ｄまたは５ｅが生成されるから、これらの合成像５ａ，５ｂ，５ｃ，５ｄおよび５ｅのいずれが視認されるかに応じて、前記ズレ方向とズレ量を直感的に認識することができる。
【００６９】
マーカ４の各々は、図２（Ｄ）に示すパターンを有しており、第１視点用マーカ要素１０ｃ、第２視点用マーカ要素１１ｃおよび第３視点用マーカ要素１２ｃから構成されている。これらのマーカ要素１０ｃ、１１ｃおよび１２ｃは、図２（Ａ）に示すような、異なる平面形状を持つ第１視点用マーカ要素１０ａ、第２視点用マーカ要素１１ａ、および第３視点用マーカ要素１２ａを用いて作製されている。
【００７０】
第１視点用マーカ要素１０ａは、正方形の領域（以下、これを初期領域という）の中央に配置された、光振り分け方向ｘ（図２（Ａ）では横方向）に延在する所定太さの１本の直線から構成されている。当該直線の長さは、当該初期領域の幅に等しい。
【００７１】
第２視点用マーカ要素１１ａは、第１視点用マーカ要素１０ａと同じ初期領域の対向する二辺に沿ってそれぞれ配置された、光振り分け方向ｘ（図２（Ａ）では横方向）に延在する２本の直線と、当該初期領域の対向する他の二辺に沿ってそれぞれ配置された、光振り分け方向ｘに直交する方向（レンチキュラーレンズ２の長辺方向、すなわちシリンドリカルレンズ６の延在方向、図２（Ａ）では縦方向）に延在する２本の直線とから構成されており、全体としては矩形枠（額縁）状になっている。縦方向に延在する２本の前記直線は同じ幅を有しており、長さは当該初期領域の幅に等しい。横方向に延在する２本の前記直線も同じ幅を有しており、長さは当該初期領域の幅から縦方向に延在する前記直線の幅の２倍を引いたものに等しい。
【００７２】
第３視点用マーカ１２ａは、第１視点用マーカ要素１０ａと同じ初期領域の中央に配置された、光振り分け方向ｘに延在する所定太さの１本の直線と、光振り分け方向ｘに直交する方向に延在する１本の直線とから構成されており、全体としては十字形になっている。横方向に延在する前記直線の幅と長さは、第１視点用マーカ要素１０ａの直線の幅と長さに等しい。縦方向に延在する前記直線の幅と長さは、第２視点用マーカ要素１１ａの縦方向に延在する直線の幅と長さに等しい。これら２本の直線の交点は、当該初期領域の中心にある。
【００７３】
次に、各マーカ４の作製方法について説明する。
【００７４】
まず、同じ大きさの正方形の初期領域内に、それぞれ、上述した第１視点用マーカ要素１０ａ、第２視点用マーカ要素１１ａおよび第３視点用マーカ要素１２ａを形成する。
【００７５】
次いで、図２（Ｂ）に示すように、これら第１視点用マーカ要素１０ａ、第２視点用マーカ要素１１ａおよび第３視点用マーカ要素１２ａを、それぞれ、表示パネル３に装着されるべきレンチキュラーレンズ２の光振り分け方向ｘに（１／レンズ要素当たりのマーカ要素数）に縮小する。本第１実施形態では、レンチキュラーレンズ２のレンズ要素（シリンドリカルレンズ）６毎に三つのマーカ要素１０ａ、１１ａおよび１２ａが割り当てられているから、レンズ要素当たりのマーカ要素数は３であり、したがってマーカ要素１０ａ、１１ａおよび１２ａはそれぞれ（１／３）に縮小されることになる。その結果、マーカ要素１０ａ、１１ａおよび１２ａは、それぞれ、図２（Ｂ）に示すように、光振り分け方向ｘに（１／３）に縮小されたマーカ要素１０ｂ、１１ｂおよび１２ｂとなる。なお、この時、光振り分け方向ｘに直交する方向には縮小されないので、マーカ要素１０ｂ、１１ｂおよび１２ｂの同方向の長さは、当初のマーカ要素１０ａ、１１ａおよび１２ａの同方向の長さと同じである。
【００７６】
次いで、図２（Ｃ）に示すように、縮小されたマーカ要素１０ｂ、１１ｂおよび１２ｂを、それぞれ所定のマーカピッチＭＰに等しい幅で五等分し、分断されたマーカ要素１０ｃ、１１ｃおよび１２ｃを形成する。マーカ要素１０ｃ、１１ｃおよび１２ｃは短冊形を有する。マーカピッチＭＰは、縮小された第２視点用マーカ要素１１ｂの縦方向に延在するストライプ（直線）の幅に等しい。（これは、縮小された第３視点用マーカ要素１２ｂの縦方向に延在するストライプ（直線）の幅とも等しい。）ここで五等分するのは、図３に示すように、五つのレンズ要素（シリンドリカルレンズ）６に対して一つのマーカ４を形成するからである。分断されたマーカ要素１０ｃは、五つのマーカ要素片１５から構成されている。分断されたマーカ要素１１ｃは、両端にある二つの長いマーカ要素片１６ａと、それらの間に配置された三対の短いマーカ要素片１６ｂとから構成されている。分断されたマーカ要素１２ｃは、中央にある一つの長いマーカ要素片１７ａと、それらの両側に対称に配置された四つの短いマーカ要素片１７ｂとから構成されている。
【００７７】
最後に、マーカ要素１０ｃのマーカ要素片１５と、マーカ要素１１ｃのマーカ要素片１６ａおよび１６ｂと、マーカ要素１０ｃのマーカ要素片１７ａおよび１７ｂを、マーカピッチＭＰ毎にマーカ要素片１２ｃ、１１ｃおよび１０ｃの順に隣接して並列し、図２（Ｄ）に示すような、１５個のマーカ要素片が一列に規則的に並んだパターンとし、マーカ４を得る。これら１５個のマーカ要素片は、隣接する３個のマーカ要素片が一つのグループになっていて、マーカ要素片の繰り返し周期ＭＣを構成している。
【００７８】
図２（Ｄ）の左端から順に見ていくと、マーカ４は、第１マーカ要素片グループ（１７ｂ、１６ａ、１５）と、第２マーカ要素片グループ（１７ｂ、１６ｂ、１５）と、第３マーカ要素片グループ（１７ａ、１６ｂ、１５）と、第４マーカ要素片グループ（１７ｂ、１６ｂ、１５）と、第５マーカ要素片グループ（１７ｂ、１６ａ、１５）とから構成されており、これら五つのグループの各々がそれぞれ、マーカ要素片の繰り返し周期ＭＣを構成しているのである。
【００７９】
具体的に言えば、まず、第３視点用マーカ要素１２ｃの左端部に位置するマーカ要素片１７ｂを任意の位置に配置し、その右側に隣接して第２視点用マーカ１１ｃの左端部に位置するマーカ要素片１６ａを配置し、その右側に隣接して第１視点用マーカ１０ｃの左端部に位置するマーカ要素片１５を配置して、第１マーカ要素片グループ（１７ｂ、１６ａ、１５）を形成する。
【００８０】
次に、第１マーカ要素片グループの右端にあるマーカ要素片１５の右側に隣接して、第３視点用マーカ要素１２ｃの左端から２番目に位置するマーカ要素片１７ｂを配置し、その右側に隣接して第２視点用マーカ１１ｃの左端から２番目に位置するマーカ要素片１６ｂを配置し、その右側に隣接して第１視点用マーカ１０ｃの左端から２番目に位置するマーカ要素片１５を配置して、第２マーカ要素片グループ（１７ｂ、１６ｂ、１５）を形成する。
【００８１】
次に、第２マーカ要素片グループの右端にあるマーカ要素片１５の右側に隣接して、第３視点用マーカ要素１２ｃの左端から３番目（中央）に位置するマーカ要素片１７ａを配置し、その右側に隣接して第２視点用マーカ１１ｃの左端から３番目（中央）に位置するマーカ要素片１６ｂを配置し、その右側に隣接して第１視点用マーカ１０ｃの左端から３番目（中央）に位置するマーカ要素片１５を配置して、第３マーカ要素片グループ（１７ａ、１６ｂ、１５）を形成する。
【００８２】
次に、第３マーカ要素片グループの右端にあるマーカ要素片１５の右側に隣接して、第３視点用マーカ要素１２ｃの左端から４番目に位置するマーカ要素片１７ｂを配置し、その右側に隣接して第２視点用マーカ１１ｃの左端から４番目に位置するマーカ要素片１６ｂを配置し、その右側に隣接して第１視点用マーカ１０ｃの左端から４番目に位置するマーカ要素片１５を配置して、第４マーカ要素片グループ（１７ｂ、１６ｂ、１５）を形成する。
【００８３】
最後に、第４マーカ要素片グループの右端にあるマーカ要素片１５の右側に隣接して、第３視点用マーカ要素１２ｃの右端に位置するマーカ要素片１７ｂを配置し、その右側に隣接して第２視点用マーカ１１ｃの右端に位置するマーカ要素片１６ａを配置し、その右側に隣接して第１視点用マーカ１０ｃの右端に位置するマーカ要素片１５を配置して、第５マーカ要素片グループ（１７ｂ、１６ａ、１５）を形成する。
【００８４】
このようにしてマーカ要素を個別に配置していくと、図２（Ｄ）に示すようなパターンを持つマーカ４が得られる。
【００８５】
上述した配置法は、次のように言い換えることもできる。すなわち、第１視点用マーカ要素１０ｃの五つのマーカ要素片１５を、図２（Ｃ）に示したように、マーカピッチＭＰの２倍に等しい間隔をあけて一方向に並列する。次に、その並列方向のいずれか一方の側（ここでは右側）に１マーカピッチＭＰだけずらして、第２視点用マーカ要素１１ｃの五つのマーカ要素片１６ａおよび１６ｂを、マーカピッチＭＰの２倍（＝３−１）に等しい間隔をあけて同一方向に並列する。最後に、同じ側（ここでは右側）にさらに１マーカピッチＭＰだけずらして、第３視点用マーカ要素１２ｃの五つのマーカ要素片１７ａおよび１７ｂを、マーカピッチＭＰの２倍に等しい間隔をあけて同一方向に並列する。こうして、第３視点用マーカ要素１２ｃ、第２視点用マーカ要素１１ｃおよび第１視点用マーカ要素１０ｃのマーカ要素片１７ａおよび１７ｂ、１６ａおよび１６ｂならびに１５が、一つずつ順次交互に並列され、図２（Ｄ）に示すパターンを持つマーカ４が得られる。
【００８６】
マーカ４は、五つのマーカ要素片の繰り返し周期ＭＣを包含しており、合計１５個のマーカ要素片（マーカピッチＭＰ）を含んでいるから、マーカ４が包含するマーカ要素片数ＭＧは１５である。つまり、ＭＣ＝３ＭＰ、ＭＧ＝５ＭＣ＝１５ＭＰという関係式が成り立つ。
【００８７】
マーカ要素片の繰り返し周期ＭＣは、レンチキュラーレンズ２のレンズ要素である一つのシリンドリカルレンズ６の幅に一致する。換言すれば、図３に示すように、各シリンドリカルレンズ６の幅に一致するようにマーカ要素片の繰り返し周期ＭＣの値が決定され、そのマーカ要素片の繰り返し周期ＭＣの値の（１／３）をマーカピッチＭＰとするのである。これらの関係を図示すると、図３のようになる。
【００８８】
繰り返し周期ＭＣとマーカ要素片数ＭＧは、それぞれ任意に決定することができる。マーカピッチＭＰは、次の数式１を用いて算出される。
【００８９】
【数１】
2010008811.tif 000003
図４に示すように、マーカ４は、表示パネル３に設けられた表示領域２０を避けて、非表示領域（額縁領域）２１にフォトリソグラフィまたは印刷方法などを用いて形成される。本第１実施形態では、マーカ４が非表示領域（額縁領域）２１において均等な間隔を空けてシリンドリカルレンズ６の長手方向と平行な辺（これは光振り分け方向ｘに直交している）に沿って設けられており、当該辺の上部、中部および下部の３箇所に配置されているが、当該マーカ４を４箇所以上に設けてもよい。マーカの数を多くしていくと、表示パネル３とレンチキュラーレンズシート２との位置あわせ精度を一段と向上させることができる。
【００９０】
マーカ４に含まれるマーカ要素片数ＭＧを大きくしていくと、表示パネル３とレンチキュラーレンズ２との最初の位置合わせの際に表示パネル３とレンチキュラーレンズ２の相対位置が大きくずれていた場合、どのようにずれているのかの確認がいっそう容易になる。ただし、マーカ要素片数ＭＧを大きくしすぎると、表示パネル３の非表示領域（額縁領域）２１が大きくなり、表示装置１の大型化を招くため、表示装置１の大きさに応じてマーカ要素片数ＭＧを適宜設定することが望ましい。
【００９１】
次に、以上の構成を持つ表示装置１の製造方法について説明する。この製造方法では、図４に示すように、非表示領域（額縁領域）２１に上述した構成を持つ三つのマーカ４がシリンドリカルレンズ６の長手方向と平行な辺に沿って配置された表示パネル３が用いられる。表示パネル３とレンチキュラーレンズ２は、図５に示す公知の貼り合わせ装置２２を用いて位置合わせをしてから固着される。
【００９２】
貼り合わせ装置２２は、図５に示すように、真空吸着によって表示パネル３を上面に保持可能な下ステージ２３と、同じく真空吸着によってレンチキュラーレンズ２を下面に保持可能な上ステージ２４と、表示パネル３上のマーカ４を撮像するための三つのカメラＣとを有している。下ステージ２３と上ステージ２４は、上下に重なり合う位置にあって、互いに対向している。下ステージ２３と上ステージ２４は、いずれも透光性を持っており、表示パネル３上のマーカ４を光学的に視認可能となっている。
【００９３】
まず最初に、表示パネル３またはレンチキュラーレンズ２の所定の接合箇所に、接着剤を塗布する。接着剤の代わりに、粘着シートを貼り付けてもよい。
【００９４】
次に、表示パネル３を貼り合わせ装置２２の下ステージ２３の上面に真空吸着により保持すると共に、上ステージ２４の下面にレンチキュラーレンズシート２を真空吸着により保持する。そして、上ステージ２４を下降させて（あるいは下ステージ２３を上昇させて）レンチキュラーレンズ２を表示パネル３に近づける。この時、貼り合わせ装置２２の各カメラＣは、表示パネル３上の対応するマーカ４から視認距離Ａだけ離れた位置に配置する。また、この状態では未だ位置合わせが完了していないので、レンチキュラーレンズ２と表示パネル３とは接触させず、所定の微細距離だけ離しておく。
【００９５】
続いて、レンチキュラーレンズ２と表示パネル３との回転方向（表示パネル３に平行な平面内でのレンチキュラーレンズ２の回転方向）を合わせるため、カメラＣにより表示パネル３の上部、中部および下部の３箇所にあるマーカ４の各々から生成される画像が一致するように、レンチキュラーレンズ２と表示パネル３の相対位置を調整し、それらの回転方向の位置合わせをする。ここで、例えば、表示パネル３の上部および下部の２箇所だけにマーカ４を設けた場合には、その２箇所でマーカ４の繰り返し周期が１個以上ずれた時にも同じ合成画像が表示されてしまい、回転方向の位置ズレを検出できない可能性がある。そこで、本第１実施形態では、表示パネル３の上部、中部および下部の３箇所にマーカ４を設けている。マーカ４は、４箇所以上に設けてもよいことは言うまでもない。マーカ４が明瞭に見える焦点深度範囲が広いため、表示パネル３、レンチキュラーレンズ２および接着剤（または粘着シート）の厚みにバラツキがあっても、カメラＣの焦点調整は不要であり、したがってタクトタイムにも影響は生じない。
【００９６】
上記のようにしてレンチキュラーレンズ２と表示パネル３の回転方向の位置合わせが完了すると、水平方向に上ステージ２４を平行移動させてから所定の重ね合わせ位置に停止させ、シリンドリカルレンズ６の短辺方向（光振り分け方向ｘ）における表示パネル３とレンチキュラーレンズ２の位置合わせを行う。この時、カメラＣにより表示パネル３の上部、中部および下部の３箇所にあるマーカ４の各々により視認される画像が、いずれも図１（Ｃ）の合成像５ｃとなるように、上ステージ２４の位置を調整する。
【００９７】
上ステージ２４を停止した時に、表示パネル３がレンチキュラーレンズ２に対して左側にずれていると、そのズレの大きさに応じて、図１（Ｂ）の合成像５ｂまたは図１（Ａ）の合成像５ａが視認される。逆に、表示パネル３がレンチキュラーレンズ２に対して右側にずれていると、そのズレの大きさに応じて、図１（Ｄ）の合成像５ｄまたは図１（Ｅ）の合成像５ｅが表示される。このため、位置修正すべき方向とその距離が直ちに判明し、また、位置修正を迅速に行うことができる。
【００９８】
上記のようにしてレンチキュラーレンズ２と表示パネル３の光振り分け方向ｘの位置合わせが完了すると、上ステージ２４を下降してレンチキュラーレンズ２を表示パネル３に接触させ、予め塗布していた接着剤（または粘着シート）によってレンチキュラーレンズ２を表示パネル３に固着させる。こうして、本第１実施形態の表示装置１が完成する。
【００９９】
以上述べたように、本第１実施形態の表示装置１では、３個の位置合わせ用マーカ４を表示パネル３上に形成しており、それらマーカ４の各々は、第１視点用マーカ要素１０ｃ、第２視点用マーカ要素１１ｃおよび第３視点用マーカ要素１２ｃから構成されていて、次のようにして形成されている。すなわち、まず、同じ大きさの正方形の初期領域内に形成され且つ互いに異なるパターンを持つ第１視点用マーカ要素１０ａ、第２視点用マーカ要素１１ａおよび第３視点用マーカ要素１２ａ（図２（Ａ）参照）を用意し、次に、これらマーカ要素１０ａ、１１ａおよび１２ａを、それぞれ、表示パネル３に装着されるべきレンチキュラーレンズ２の光振り分け方向ｘに（１／３）に縮小して、縮小されたマーカ要素１０ｂ、１１ｂおよび１２ｂ（図２（Ｂ）参照）を生成し、さらに、縮小されたマーカ要素１０ｂ、１１ｂおよび１２ｂを、それぞれ、所定のマーカピッチＭＰに等しい幅で五等分して、分断されたマーカ要素１０ｃ、１１ｃおよび１２ｃ（図２（Ｃ）参照）を形成する。最後に、マーカ要素１０ｃのマーカ要素片１５と、マーカ要素１１ｃのマーカ要素片１６ａおよび１６ｂと、マーカ要素１０ｃのマーカ要素片１７ａおよび１７ｂを、所定のマーカピッチＭＰ毎にマーカ要素片１２ｃ、１１ｃおよび１０ｃの順に隣接して並列し、１５個のマーカ要素片が一列に規則的に並んだパターンを生成し、図２（Ｄ）に示した構成のマーカ４を得ている。
【０１００】
このため、レンチキュラーレンズ２を通して、表示パネル３上の各マーカ４を所定の視認距離ＡからカメラＣで撮像すると、図１（Ａ）〜（Ｅ）に示した合成像５ａ，５ｂ，５ｃ，５ｄまたは５ｅが視認される。これらの合成像５ａ，５ｂ，５ｃ，５ｄおよび５ｅを利用すれば、レンチキュラーレンズ２と表示パネル３の光振り分け方向ｘの位置ずれの有無（位置の整合・不整合）を容易に判別することができる。
【０１０１】
また、レンチキュラーレンズ２と表示パネル３の位置が不整合の場合は、光振り分け方向ｘに沿った位置ズレの方向と量に応じて、異なる合成像が視認される、換言すれば、視認される合成像が位置ズレの方向と量に応じて変化するため、レンチキュラーレンズ２と表示パネル３の位置ずれの方向と量を容易に知ることができる。
【０１０２】
したがって、レンチキュラーレンズ２上でのマーカ形成が不要で既存の同種レンチキュラーレンズをそのまま使用することが可能であると共に、レンチキュラーレンズ２と表示パネル３の位置合わせ作業が一般的な貼り合わせ装置を使用して実施することができる。
【０１０３】
さらに、上述したとおり、既存のレンチキュラーレンズ２と一般的な貼り合わせ装置が使用可能であり、また、レンチキュラーレンズ２と表示パネル３の位置の整合・不整合を上述のようにして判別することから、その判別作業が迅速に行え、位置ズレの修正も迅速に行える。よって、レンチキュラーレンズ２と表示パネル３を含む表示装置１の生産コストを低減することができると共に、その生産性を向上することもできる。
【０１０４】
なお、マーカ４は、上述したようにして形成されているので、第１視点用、第２視点用および第３視点用のマーカ要素１０ａ、１１ａおよび１２ａのパターンを予め設定しておき、これらマーカ要素１０ａ、１１ａおよび１２ａの縮小、分断、並列といった処理を自動化しておけば、既存のマーカと同様の工程および材料で表示パネル３上にマーカ４を形成することができる。したがって、マーカ４の形成による生産コスト上昇はほとんど生じない。
【０１０５】
図１５は、一つのシリンドリカルレンズ６（マーカ要素片の繰り返し周期ＭＣ）に対応する（含まれる）マーカ要素数（これはマーカ要素片の繰り返し周期ＭＣに含まれるマーカピッチＭＰの数に等しい）をパラメータとして、表示パネル３とレンチキュラーレンズ２との位置合わせ精度について実験した結果を示す。位置合わせ精度欄の数値は、繰り返し周期ＭＣの各々の値について五つの表示パネル３について試験を行った結果の平均値であり、シリンドリカルレンズ６のレンズピッチＲＰで規格化してある。
【０１０６】
図１５から明らかなように、一つのシリンドリカルレンズ６に対応するマーカ要素片の繰り返し周期ＭＣを大きくしていくと、位置あわせ精度が向上することが確認できた。
【０１０７】
（第２実施形態）
図６は、本発明の第２実施形態に係る表示装置３１に使用された位置合わせ用マーカ３０を示す平面図であり、上記第１実施形態で説明した図２（Ｄ）の構成と共通する部分に同一符号を付してある。図７（Ａ）〜（Ｅ）は、その表示装置３１の製造方法において、レンチキュラーレンズ２と位置合わせ用マーカ４との位置関係と、レンチキュラーレンズ２を通して表示パネル３上のマーカ３０をカメラＣで撮像したときに得られる合成像３２ａ，３２ｂ，３２ｃ，３２ｄおよび３２ｅとの関係を示す。
【０１０８】
本第２実施形態に係るマーカ３０は、図６に示すパターンを有しており、上述した第１実施形態の第１視点用マーカ要素１０ｃと第３視点用マーカ要素１２ｃとから形成されていて、同実施形態の第２視点用マーカ要素１１ｃは含まれていない。マーカ３０は、上述した第１実施形態の位置合わせ用マーカ４から同実施形態の第２視点用マーカ要素１１ｃを省略し、第２視点用マーカ要素１１ｃのマーカ要素片１６ａおよび１６ｂに対応する箇所にそれぞれ空白部を配置したものに相当する。
【０１０９】
マーカ３０の作製方法は次のとおりである。
【０１１０】
まず、上記第１実施形態と同様に、第１視点用マーカ要素１０ａおよび第３視点用マーカ要素１２ａを形成し、その後、これらのマーカ要素１０ａおよび１２ａを、それぞれ、表示パネル３に装着されるべきレンチキュラーレンズ２の光振り分け方向ｘに（１／レンズ要素当たりのマーカ要素数）に縮小する。本第２実施形態では、レンチキュラーレンズ２のレンズ要素であるシリンドリカルレズ６毎に二つのマーカ要素１０ａおよび１２ａと、第２視点用マーカ１１ｃと同じ幅の空白部とが割り当てられているから、レンズ要素当たりのマーカ要素数は３であり、したがってマーカ要素１０ａおよび１２ａは（１／３）に縮小されることになる。その結果、マーカ要素１０ａおよび１２ａは、光振り分け方向ｘに（１／３）に縮小されたマーカ要素１０ｂおよび１２ｂになる。
【０１１１】
次いで、縮小されたマーカ要素１０ｂおよび１２ｂを、それぞれ所定のマーカピッチＭＰに等しい幅で五等分し、分断されたマーカ要素１０ｃおよび１２ｃを形成する。分断されたマーカ要素１０ｃは、五つのマーカ要素片１５から構成されている。分断されたマーカ要素１２ｃは、中央にある一つの長いマーカ要素片１７ａと、それらの両側に対称に配置された四つの短いマーカ要素片１７ｂとから構成されている。
【０１１２】
最後に、マーカ要素１０ｃのマーカ要素片１５と、マーカ要素１１ｃの要素片１６ａおよび１６ｂと同じ幅を持つ空白部と、マーカ要素１２ｃのマーカ要素片１７ａおよび１７ｂを、マーカ要素片１２ｃ、空白部およびマーカ要素片１０ｃの順に隣接して並列し、図６に示すような、１０個のマーカ要素片と５個の空白部が一列に規則的に並んだパターンからなるマーカ３０を得る。これら１０個のマーカ要素片と５個の空白部は、空白部を挟んで近接する二つのマーカ要素片が一つのグループになっていて、マーカ要素片の繰り返し周期ＭＣを構成している。
【０１１３】
図６の左端から順に見ていくと、第１マーカ要素片グループ（１７ｂ、空白部、１５）と、第２マーカ要素片グループ（１７ｂ、空白部、１５）と、第３マーカ要素片グループ（１７ａ、空白部、１５）と、第４マーカ要素片グループ（１７ｂ、空白部、１５）と、第５マーカ要素片グループ（１７ｂ、空白部、１５）とが、それぞれ繰り返し周期ＭＣを構成しているのである。
【０１１４】
具体的に言えば、まず、第３視点用マーカ要素１２ｃの左端部に位置するマーカ要素片１７ｂを左端に配置し、その右側に隣接して、第２視点用マーカ要素１１ｃの左端部に位置するマーカ要素片１６ａと同じ幅の空白部を配置し、さらにその右側に隣接して、第１視点用マーカ１０ｃの左端部に位置するマーカ要素片１５を配置して、第１マーカ要素片グループ（１７ｂ、空白部、１５）を形成する。
【０１１５】
次に、第１マーカ要素片グループの右端にあるマーカ要素片１５の右側に隣接して、第３視点用マーカ要素１２ｃの左端から２番目に位置するマーカ要素片１７ｂを配置し、その右側に隣接して、第２視点用マーカ１１ｃの左端から２番目に位置するマーカ要素片１６ｂと同じ幅の空白部を配置し、さらにその右側に隣接して、第１視点用マーカ１０ｃの左端から２番目に位置するマーカ要素片１５を配置して、第２マーカ要素片グループ（１７ｂ、空白部、１５）を形成する。
【０１１６】
次に、第２マーカ要素片グループの右端にあるマーカ要素片１５の右側に隣接して、第３視点用マーカ要素１２ｃの左端から３番目（中央）に位置するマーカ要素片１７ａを配置し、その右側に隣接して第２視点用マーカ１１ｃの左端から３番目（中央）に位置するマーカ要素片１６ｂと同じ幅の空白部を配置し、さらにその右側に隣接して、第１視点用マーカ１０ｃの左端から３番目（中央）に位置するマーカ要素片１５を配置して、第３マーカ要素片グループ（１７ａ、空白部、１５）を形成する。
【０１１７】
次に、第３マーカ要素片グループの右端にあるマーカ要素片１５の右側に隣接して、第３視点用マーカ要素１２ｃの左端から４番目に位置するマーカ要素片１７ｂを配置し、その右側に隣接して、第２視点用マーカ１１ｃの左端から４番目に位置するマーカ要素片１６ｂと同じ幅の空白部を配置し、さらにその右側に隣接して、第１視点用マーカ１０ｃの左端から４番目に位置するマーカ要素片１５を配置して、第４マーカ要素片グループ（１７ｂ、空白部、１５）を形成する。
【０１１８】
最後に、第４マーカ要素片グループの右端にあるマーカ要素片１５の右側に隣接して、第３視点用マーカ要素１２ｃの右端に位置するマーカ要素片１７ｂを配置し、その右側に隣接して、第２視点用マーカ１１ｃの右端に位置するマーカ要素片１６ａと同じ幅の空白部を配置し、さらにその右側に隣接して、第１視点用マーカ１０ｃの右端に位置するマーカ要素片１５を配置して、第５マーカ要素片グループ（１７ｂ、空白部、１５）を形成する。
【０１１９】
このようにして、図６に示すようなパターンを持つマーカ３０が得られる。
【０１２０】
上述した配置法は、次のように言い換えることもできる。すなわち、第１視点用マーカ要素１０ｃの五つのマーカ要素片１５を、図６に示したように、マーカピッチＭＰに等しい間隔をあけて一方向に並列する。次に、その並列方向のいずれか一方の側（ここでは右側）に２マーカピッチＭＰだけずらして、第３視点用マーカ要素１２ｃの五つのマーカ要素片１７ａおよび１７ｂを、マーカピッチＭＰに等しい間隔をあけて同一方向に並列する。こうして、第３視点用マーカ１２ｃおよび第１視点用マーカ１０ｃのマーカ要素片１７ａおよび１７ｂならびに１５と空白部が、一つずつ順次並列され、図６に示すパターンを持つマーカ３０が得られる。
【０１２１】
このマーカ３０は、五つの繰り返し周期ＭＣを包含しており、１５個のマーカ要素片または空白部（１５個のマーカピッチＭＰ）を含んでいるから、マーカ要素片数ＭＧは１５である。つまり、ＭＣ＝３ＭＰ、ＭＧ＝５ＭＣ＝１５ＭＰという関係式が成り立つ。
【０１２２】
繰り返し周期ＭＣは、マーカ４に使用しているマーカ要素および空白部の総数に等しく、レンチキュラーレンズ２のレンズ要素である一つのシリンドリカルレンズ６の幅に一致する。（本第２実施形態では、第１視点用および第３視点用のマーカ要素１０ａおよび１２ａと、第２視点用マーカ要素１１ａに相当する空白部とが使用されているから、マーカ要素の総数は３となる。）換言すれば、上記第１実施形態と同様に、各シリンドリカルレンズ６の幅に一致するように繰り返し周期ＭＣの値が決定され、その繰り返し周期ＭＣの値の（１／３）をマーカピッチＭＰとするのである。
【０１２３】
本第２実施形態のマーカ３０も、上記第１実施形態のマーカ４と同様に、非表示領域（額縁領域）２１において均等な間隔を空けてシリンドリカルレンズ６の長手方向と平行な辺に沿って設けられており、当該辺の上部、中部および下部の３箇所に配置されている。マーカ３０も、表示パネル３の非表示領域（額縁領域）２１にフォトリソグラフィまたは印刷方法などを用いて形成される。
【０１２４】
本第２実施形態の表示装置３１の製造方法では、図４に示すように、レンチキュラーレンズ２を通して表示パネル３上の各マーカ３０を所定の視認距離ＡからカメラＣで撮像したとき、図７（Ａ）〜（Ｅ）に示すような合成像３２ａ，３２ｂ，３２ｃ，３２ｄまたは３２ｅが視認される。これらの合成像３２ａ，３２ｂ，３２ｃ，３２ｄおよび３２ｅを利用することにより、レンチキュラーレンズ２を表示パネル３上の所望箇所に位置合わせして装着することができる。
【０１２５】
レンチキュラーレンズ２が、表示パネル３上の所望の位置（最適な位置）にある場合、図７（Ｃ）に示すように、空白の合成像３２ｃが生成される。換言すれば、特定の合成像が生成されない。
【０１２６】
レンチキュラーレンズ２に対して表示パネル３が左側に少しずれていると、図７（Ｂ）に示すようなマーカ３０の合成像３２ｂが生成される。合成像３２ｂは、横方向に延在する１本の破断線からなるパターンである。
【０１２７】
レンチキュラーレンズ２に対して表示パネル３がさらに左側にずれていると、図７（Ａ）に示すようなマーカ３０の合成像３２ａが生成される。合成像３２ａは、横方向に延在する１本の直線からなるパターンである。
【０１２８】
逆に、レンチキュラーレンズ２に対して表示パネル３が右側に少しずれていると、図７（Ｄ）に示すようなマーカ３０の合成像３２ｄが生成される。合成像３２ｄは、縦方向に延在する細い１本の直線と、横方向に延在する１本の破断線とからなる十字形のパターンである。
【０１２９】
レンチキュラーレンズ２に対して表示パネル３がさらに右側にずれていると、図７（Ｅ）に示すようなマーカ３０の合成像３２ｅが生成される。合成像３２ｅは、縦方向に延在する１本の太い直線と、それより細く横方向に延在する１本の太い直線とからなる十字形のパターンである。
【０１３０】
図７（Ａ）〜（Ｅ）に示す合成像３２ａ，３２ｂ，３２ｃ，３２ｄおよび３２ｅは、それらのパターンが明確に異なるから、容易に区別することができる。したがって、表示パネル３とレンチキュラーレンズ２とを貼り合わせる際に、レンチキュラーレンズ２を介在させて所定の視認距離Ａから表示パネル３上のマーカ３０を視認したときに、これらの合成像３２ａ，３２ｂ，３２ｃ，３２ｄおよび３２ｅのいずれが視認されるかに応じて、前記ズレ方向とズレ量を直感的に認識することができる。
【０１３１】
以上述べたように、本第２実施形態の表示装置３１は、表示パネル３に設けられているマーカ３０の各々が、上述した第１実施形態の位置合わせ用マーカ４において同実施形態の第２視点用マーカ１１ｃに変えて空白部を配置したものに相当し、それ以外の構成は上記第１実施形態の表示装置１と同じであるから、上記第１実施形態の表示装置１と同じ効果が得られる。
【０１３２】
（第３実施形態）
図８は、本発明の第３実施形態に係る表示装置４１に使用された位置合わせ用マーカ４０を示す平面図であり、上記第１実施形態で説明した図２（Ｄ）の構成と共通する部分に同一符号を付してある。図９（Ａ）〜（Ｅ）は、その表示装置４１の製造方法において、レンチキュラーレンズ２と位置合わせ用マーカ４０との位置関係と、レンチキュラーレンズ２を通して表示パネル３上のマーカ４０をカメラＣで撮像したときに得られる合成像４２ａ，４２ｂ，４２ｃ，４２ｄおよび４２ｅとの関係を示す。
【０１３３】
本第３実施形態に係るマーカ４０は、図８に示すパターンを有しており、上述した第１実施形態の第２視点用マーカ要素１１ｃと第３視点用マーカ要素１２ｃとから形成されていて、同実施形態の第１視点用マーカ要素１０ｃは含まれていない。マーカ４０は、上述した第１実施形態の位置合わせ用マーカ４から、同実施形態の第１視点用マーカ要素１０ｃを省略すると共に、第１視点用マーカ要素１０ｃのマーカ要素片１５に対応する空白部を削除して並列したものに相当する。このように、マーカ４０は、第２視点用マーカ要素１１ｃと第３視点用マーカ要素１２ｃのみから構成されている点で、上述した第１および第２の実施形態の位置合わせ用マーカ４および３０とは異なっている。
【０１３４】
本第２実施形態から明らかなように、本発明のマーカは、二つのマーカ要素から構成することも可能である。
【０１３５】
マーカ４０の作製方法は次のとおりである。
【０１３６】
まず、上記第１実施形態と同様に、第２視点用マーカ要素１１ａおよび第３視点用マーカ要素１２ａを形成し、その後、これら第２視点用マーカ要素１１ａおよび第３視点用マーカ要素１２ａを、それぞれ、表示パネル３に装着されるべきレンチキュラーレンズ２の光振り分け方向ｘに（１／レンズ要素当たりのマーカ要素数）に縮小する。本第３実施形態では、レンチキュラーレンズ２のレンズ要素であるシリンドリカルレズ６毎に二つのマーカ要素１１ａおよび１２ａが割り当てられているから、レンズ要素当たりのマーカ要素数は２であり、したがってマーカ要素１１ａおよび１２ａは（１／２）に縮小されることになる。その結果、マーカ要素１１ａおよび１２ａは、光振り分け方向ｘに（１／２）に縮小されたマーカ要素１１ｂおよび１２ｂになる。
【０１３７】
次いで、縮小されたマーカ要素１１ｂおよび１２ｂを、それぞれ所定のマーカピッチＭＰに等しい幅で五等分し、分断されたマーカ要素１１ｃおよび１２ｃを形成する。分断されたマーカ要素１１ｃは、両端にある二つの長いマーカ要素片１６ａと、それらの間に配置された三対の短いマーカ要素片１６ｂとから構成されている。分断されたマーカ要素１２ｃは、中央にある一つの長いマーカ要素片１７ａと、それらの両側に対称に配置された四つの短いマーカ要素片１７ｂとから構成されている。
【０１３８】
最後に、マーカ要素１１ｃの要素片１６ａおよび１６ｂと、マーカ要素１２ｃのマーカ要素片１７ａおよび１７ｂを、マーカ要素１２ｃ、マーカ要素１１ｃの順に隣接して並列し、図８に示すような、１０個のマーカ要素片が一列に規則的に並んだパターンからなるマーカ４０とする。これら１０個のマーカ要素片は、隣接する二つのマーカ要素片が一つのグループになっていて、繰り返し周期ＭＣを構成している。
【０１３９】
図８の左端から順に見ていくと、第１マーカ要素片グループ（１７ｂ、１６ａ）と、第２マーカ要素片グループ（１７ｂ、１６ｂ）と、第３マーカ要素片グループ（１７ａ、１６ｂ）と、第４マーカ要素片グループ（１７ｂ、１６ｂ）と、第５マーカ要素片グループ（１７ｂ、１６ａ）とが、それぞれ繰り返し周期ＭＣを構成しているのである。
【０１４０】
各マーカ要素片の配置法は次のとおりである。すなわち、第３視点用マーカ要素１２ｃの五つのマーカ要素片１７ａおよび１７ｂを、図８に示したように、マーカピッチＭＰに等しい間隔をあけて一方向に並列してから、その並列方向のいずれか一方の側（ここでは右側）に１マーカピッチＭＰだけずらして、第２視点用マーカ要素１１ｃの五つのマーカ要素片１６ａおよび１６ｂを、マーカピッチＭＰに等しい間隔をあけて同一方向に並列する。こうして、第３視点用マーカ１２ｃおよび第２視点用マーカ１１ｃのマーカ要素片１７ａおよび１７ｂならびに１６ａおよび１６ｂが、一つずつ順次並列され、図８に示すパターンを持つマーカ４０が得られる。
【０１４１】
このマーカ４０は、五つの繰り返し周期ＭＣを包含しており、１０個のマーカ要素片を含んでいるから、マーカ要素片数ＭＧは１０ある。つまり、ＭＣ＝２Ｐ、ＭＧ＝５ＭＣ＝１０ＭＰという関係式が成り立つ。
【０１４２】
本第３実施形態では、第２視点用および第３視点用のマーカ要素１１ａおよび１２ａが使用されているから、マーカ要素の総数は２となる。したがって、上記第１実施形態と同様に、各シリンドリカルレンズ６の幅に一致するようにマーカ周期ＭＣの値が決定され、そのマーカ周期ＭＣの値の（１／２）をマーカピッチＭＰとする。
【０１４３】
マーカ４０は、上記第１実施形態と同様のレイアウトで非表示領域（額縁領域）２１に設けられており、フォトリソグラフィまたは印刷方法などを用いて形成される。
【０１４４】
本第３実施形態の表示装置４１では、レンチキュラーレンズ２を通して表示パネル３上の各マーカ４０を所定の視認距離ＡからカメラＣで撮像したとき、図９（Ａ）〜（Ｅ）に示すような合成像４２ａ，４２ｂ，４２ｃ，４２ｄまたは４２ｅが視認される。これらの合成像４２ａ，４２ｂ，４２ｃ，４２ｄおよび４２ｅを利用することにより、レンチキュラーレンズ２を表示パネル３上の所望箇所に位置合わせして装着することができる。
【０１４５】
レンチキュラーレンズ２が、表示パネル３上の所望の位置（最適な位置）にある場合、図９（Ｃ）に示すように、合成像４２ｃが生成される。合成像４２ｃは、縦方向に延在する３本の直線と横方向に延在する３本の破断線からなるパターンである。
【０１４６】
レンチキュラーレンズ２に対して表示パネル３が左側に少しずれていると、図９（Ｂ）に示すようなマーカ４０の合成像４２ｂが生成される。合成像４２ｂは、合成像４２ｃと同様に、縦方向に延在する３本の直線と横方向に延在する３本の破断線からなるパターンであるが、縦方向に延在する１本（中央にある）の直線の幅が小さくなっている点と、横方向に延在する１本（中央にある）の破断線の幅が小さく、他の２本の破断線の幅が大きくなっている点とが異なっている。
【０１４７】
レンチキュラーレンズ２に対して表示パネル３がさらに左側にずれていると、図９（Ａ）に示すようなマーカ４０の合成像４２ａが生成される。合成像４２ａは、縦方向に延在する２本の太い直線と横方向に延在する２本の直線からなるパターンであり、全体として一つの矩形を構成している。したがって、合成像４２ａは、合成像４２ｂとは明らかに異なっている。
【０１４８】
逆に、レンチキュラーレンズ２に対して表示パネル３が右側に少しずれていると、図９（Ｄ）に示すようなマーカ４０の合成像４２ｄが生成される。合成像４２ｄは、合成像４２ｃと同様に、縦方向に延在する３本の直線と横方向に延在する３本の破断線からなるパターンであるが、縦方向に延在する１本（中央にある）の直線の幅が大きく、他の２本の直線の幅が小さくなっている点と、横方向に延在する３本の破断線の部分間の間隔が大きくなっている点とが異なっている。
【０１４９】
レンチキュラーレンズ２に対して表示パネル３がさらに右側にずれていると、図９（Ｅ）に示すようなマーカ４０の合成像４２ｅが生成される。合成像４２ｅは、縦方向に延在する１本の太い直線と横方向に延在する１本の直線からなるパターンであり、全体として一つの十字形を構成している。したがって、合成像４２ｅは、合成像４２ｄとは明らかに異なっている。
【０１５０】
したがって、表示パネル３とレンチキュラーレンズ２とを貼り合わせる際に、合成像４２ａ，４２ｂ，４２ｃ，４２ｄおよび４２ｅのいずれが視認されるかに応じて、前記ズレ方向とズレ量を直感的に認識することができる。
【０１５１】
以上述べたように、本第３実施形態の表示装置４１は、表示パネル３に設けられているマーカ４０の各々が、上述した第１実施形態の位置合わせ用マーカ４において同実施形態の第１視点用マーカ要素１０ｃを省略するとともに、第２視点用マーカ要素１１ｃのマーカ要素片１６ａおよび１６ｂと第３視点用マーカ要素１２ｃのマーカ要素片１７ａおよび１７ｂを交互に並列したものに相当し、それ以外の構成は上記第１実施形態の表示装置１と同じであるから、上記第１実施形態の表示装置１と同じ効果が得られる。
【０１５２】
また、本第３実施形態では、上述した第１実施形態と比較して、位置あわせの精度が若干低下するものの、上記第１実施形態のマーカ４よりもマーカ４０の構成を簡素化できることから、生産性を一段と高くすることができるという効果もある。
【０１５３】
（第４実施形態）
図１１は、本発明の第４実施形態に係る表示装置６１に使用された位置合わせ用のマーカ５０を示す平面図である。図１２（Ａ）〜（Ｅ）は、その表示装置６１の製造方法において、レンチキュラーレンズ２と位置合わせ用マーカ４との位置関係と、レンチキュラーレンズ２を通して表示パネル３上のマーカ５０をカメラＣで撮像したときに得られる合成像６２ａ，６２ｂ，６２ｃ，６２ｄおよび６２ｅとの関係を示す。図１０（Ａ）〜（Ｃ）は、本発明の第１実施形態に係るマーカの一連の作製工程を示す平面図である。
【０１５４】
本第４実施形態に係るマーカ５０は、図１１に示すパターンを有しており、第１視点用マーカ要素５１ｃ、第２視点用マーカ要素５２ｃ、第３視点用マーカ要素５３ｃ、第４視点用マーカ要素５４ｃおよび第５視点用マーカ要素５５ｃから構成されている点で、上述した第１〜第３の実施形態とは異なっている。
【０１５５】
第１視点用マーカ要素５１ａは、図１０（Ａ）に示すように、初期領域の中央に配置された、その左下から右上方向に斜めに延在する所定太さの１本の階段状に屈曲した直線から構成されている。当該直線のｘ方向およびそれに直交する方向（図１０（Ａ）では縦方向）の長さは、当該初期領域の幅と高さにそれぞれ等しい。
【０１５６】
第２視点用マーカ要素５２ａは、第１視点用マーカ要素５１ａと同じ初期領域の中央に配置された、光振り分け方向ｘに延在する所定太さの１本の直線から構成されている。当該直線の長さは、当該初期領域の幅に等しい。
【０１５７】
第３視点用マーカ要素５３ａは、第１視点用マーカ要素５１ａと同じ初期領域の対向する二辺に沿ってそれぞれ配置された、光振り分け方向ｘに延在する２本の直線と、当該初期領域の対向する他の二辺に沿ってそれぞれ配置された、光振り分け方向ｘに直交する方向に延在する２本の直線とから構成されており、全体としては矩形枠（額縁）状になっている。縦方向に延在する２本の前記直線は同じ幅を有しており、長さは当該初期領域の幅に等しい。横方向に延在する２本の前記直線も同じ幅を有しており、長さは当該初期領域の幅から縦方向に延在する前記直線の幅の２倍を引いたものに等しい。
【０１５８】
第４視点用マーカ５４ａは、第１視点用マーカ要素５１ａと同じ初期領域の中央に配置された、光振り分け方向ｘに延在する所定太さの１本の直線と、光振り分け方向ｘに直交する方向に延在する１本の直線とから構成されており、全体としては十字形になっている。横方向に延在する前記直線の幅と長さは、第２視点用マーカ要素５２ａの直線の幅と長さに等しい。縦方向に延在する前記直線の幅と長さは、第３視点用マーカ要素５３ａの縦方向に延在する直線の幅と長さに等しい。これら２本の直線の交点は、当該初期領域の中心にある。
【０１５９】
第５視点用マーカ要素５５ａは第１視点用マーカ要素５１ａと同じ初期領域の中央に配置された、その左下から右上方向に斜めに延在する所定太さの１本の直線と、その右下から左上方向に斜めに延在する所定太さの１本の直線とから構成されている。これら２本の直線のｘ方向およびそれに直交する方向の長さは、当該初期領域の幅と高さにそれぞれ等しい。
【０１６０】
本第５実施形態から明らかなように、本発明のマーカは、五つのマーカ要素から構成することも可能である。
【０１６１】
次にマーカ５０の作製方法について説明する。
【０１６２】
まず、同じ大きさの正方形の初期領域内に、それぞれ、上述した第１視点用マーカ要素５１ａ、第２視点用マーカ要素５２ａ、第３視点用マーカ要素５３ａ、第４視点用マーカ要素５４ａおよび第５視点用マーカ要素５５ａを形成する。
【０１６３】
次いで、図１０（Ｂ）に示すように、これらマーカ要素５１ａ、５２ａ、５３ａ、５４ａおよび５５ａを、それぞれ、表示パネル３に装着されるべきレンチキュラーレンズ２の光振り分け方向ｘに（１／レンズ要素当たりのマーカ要素数）に縮小する。本第４実施形態では、レンチキュラーレンズ２のレンズ要素（シリンドリカルレンズ）６毎に五つのマーカ要素５１ａ、５２ａ、５３ａ、５４ａおよび５５ａが割り当てられているから、レンズ要素当たりのマーカ要素数は５であり、したがってマーカ要素５１ａ、５２ａ、５３ａ、５４ａおよび５５ａはそれぞれ（１／５）に縮小されることになる。その結果、マーカ要素５１ａ、５２ａ、５３ａ、５４ａおよび５５ａは、それぞれ、図１０（Ｂ）に示すように、光振り分け方向ｘに（１／５）に縮小されたマーカ要素５１ｂ、５２ｂ、５３ｂ、５４ｂおよび５５ｂとなる。なお、この時、光振り分け方向ｘに直行する方向には縮小されないので、マーカ要素５１ｂ、５２ｂ、５３ｂ、５４ｂおよび５５ｂの同方向の長さは、当初のマーカ要素５１ａ、５２ａ、５３ａ、５４ａおよび５５ａの同方向の長さと同じである。
【０１６４】
次いで、図１０（Ｃ）に示すように、縮小されたマーカ要素５１ｂ、５２ｂ、５３ｂ、５４ｂおよび５５ｂをそれぞれ所定のマーカピッチＭＰに等しい幅で五等分し、分断されたマーカ要素５１ｃ、５２ｃ、５３ｃ、５４ｃおよび５５ｃを形成する。マーカ要素５１ｃ、５２ｃ、５３ｃ、５４ｃおよび５５ｃは短冊形を有する。マーカピッチＭＰは、縮小された第３視点用マーカ要素５３ｂの縦方向に延在するストライプ（直線）の幅に等しい。（これは、縮小された第４視点用マーカ要素５４ｂの縦方向に延在するストライプ（直線）の幅とも等しい。）ここで五等分するのは、五つのレンズ要素（シリンドリカルレンズ）６に対してマーカ５０を形成するからである。
【０１６５】
分断されたマーカ要素５１ｃは、ｘ方向に直交する方向に沿って順に位置をずらして配置されたマーカ要素片５６ａ、５６ｂ、５６ｃ、５６ｄおよび５６ｅから構成されている。分断されたマーカ要素５２ｃは、ｘ方向に直交する方向に沿って同じ位置に配置された五つのマーカ要素片５７から構成されている。分断されたマーカ要素片５３ｃは、両端にある二つのマーカ要素片５８ａと、それらの間に配置された三対の短いマーカ要素片５８ｂとから構成されている。分断されたマーカ要素片５４ｃは、中央にある一つの長いマーカ要素片５９ａと、それらの両側に対称に配置された四つの短いマーカ要素片５８ｂとから構成されている。分断されたマーカ要素片５５ｃは、両端にある二対のマーカ要素片６０ａと、中央にある一つのマーカ要素片６０ｃと、マーカ要素片６０ａと６０ｃの間に配置された二対のマーカ要素片６０ｂとから構成されている。
最後に、マーカ要素５１ｃのマーカ要素片５６ａ〜５６ｅと、マーカ要素５２ｃのマーカ要素片５７と、マーカ要素５３ｃのマーカ要素片５８ａおよび５８ｂと、マーカ要素５４ｃのマーカ要素片５９ａおよび５９ｂと、マーカ要素５５ｃのマーカ要素片６０ａ、６０ｂおよび６０ｃを、マーカピッチＭＰ毎にマーカ要素５５ｃ、５４ｃ、５３ｃ、５２ｃ、５１ｃの順に並列し、図１１に示すような、２５個のマーカ要素片が一列に規則的に並んだパターンとし、マーカ５０を得る。
【０１６６】
これら２５個のマーカ要素片は、隣接する５個のマーカ要素片が一つのグループになっていて、マーカ要素片の繰り返し周期ＭＣを構成している。
【０１６７】
図１１の左端から順に見ていくと、マーカ５０は、第１マーカ要素片グループ（６０ａ、５９ｂ、５８ａ、５７、５６ａ）と、第２マーカ要素片グループ（６０ｂ、５９ｂ、５８ｂ、５７、５６ｂ）と、第３マーカ要素片グループ（６０ｃ、５９ａ、５８ｂ、５７、５６ｃ）と、第４マーカ要素片グループ（６０ｂ、５９ｂ、５８ｂ、５７、５６ｄ）と、第５マーカ要素片グループ（６０ａ、５９ｂ、５８ａ、５７、５６ｅ）とから構成されており、これら五つのグループの各々がそれぞれ、マーカ要素片の繰り返し周期ＭＣを構成しているのである。
【０１６８】
具体的に言えば、まず、第５視点用マーカ５５ｃの左端部に位置するマーカ要素片６０ａを任意の位置に配置し、その右側に隣接して第４視点用マーカ５４ｃの左端部に位置するマーカ要素片５９ｂを配置し、その右側に第３視点用マーカ５３ｃの左端部に位置するマーカ要素片５８ａを配置し、その右側に第２視点用マーカの左端部に位置するマーカ要素片５７を配置し、その右側に第１視点用マーカの左端部に位置するマーカ要素片５６ａを配置して、第１マーカ要素片グループ（６０ａ、５９ｂ、５８ａ、５７、５６ａ）を形成する。
【０１６９】
次に、第１マーカ要素片グループの右端にあるマーカ要素片５６ａの右側に近接して、第５視点用マーカ要素５５ｃの左端から２番目に位置するマーカ要素片６０ｂを配置し、その右側に隣接して第４視点用マーカ５４ｃの左端から２番目に位置するマーカ要素片５９ｂを配置し、その右側に近接して第３視点用マーカ５３ｃの左端から２番目に位置するマーカ要素片５８ｂを配置し、その右側に近接して第２視点用マーカ５２ｃの左端から２番目に位置するマーカ要素片５７を配置し、その右側に近接して第１視点用マーカ５１ｃの左端から２番目に位置するマーカ要素片５６ｄを配置して、第２マーカ要素片グループ（６０ｂ、５９ｂ、５８ｂ、５７、５６ｂ）を形成する。
【０１７０】
次に、第２マーカ要素片グループの右端にあるマーカ要素片５ｂａの右側に近接して、第５視点用マーカ要素５５ｃの左端から３番目に位置するマーカ要素片６０ｃを配置し、その右側に隣接して第４視点用マーカ５４ｃの左端から３番目に位置するマーカ要素片５９ｂを配置し、その右側に近接して第３視点用マーカ５３ｃの左端から３番目に位置するマーカ要素片５８ｂを配置し、その右側に近接して第２視点用マーカ５２ｃの左端から３番目に位置するマーカ要素片５７を配置し、その右側に近接して第１視点用マーカ５１ｃの左端から３番目に位置するマーカ要素片５６ｃを配置して、第３マーカ要素片グループ（６０ｃ、５９ａ、５８ｂ、５７、５６ｃ）を形成する。
【０１７１】
次に、第３マーカ要素片グループの右端にあるマーカ要素片５６ｃの右側に近接して、第５視点用マーカ要素５５ｃの左端から４番目に位置するマーカ要素片６０ｂを配置し、その右側に隣接して第４視点用マーカ５４ｃの左端から４番目に位置するマーカ要素片５９ｂを配置し、その右側に近接して第３視点用マーカ５３ｃの左端から４番目に位置するマーカ要素片５８ｂを配置し、その右側に近接して第２視点用マーカ５２ｃの左端から４番目に位置するマーカ要素片５７を配置し、その右側に近接して第１視点用マーカ５１ｃの左端から４番目に位置するマーカ要素片５６ａｄ配置して、第４マーカ要素片グループ（６０ｂ、５９ｂ、５８ｂ、５７、５６ｄ）を形成する。
【０１７２】
最後に、第４マーカ要素片グループの右端にあるマーカ要素片５６ｄの右側に近接して、第５視点用マーカ要素５５ｃの左端から５番目に位置するマーカ要素片６０ａを配置し、その右側に隣接して第４視点用マーカ５４ｃの左端から５番目に位置するマーカ要素片５９ｂを配置し、その右側に近接して第３視点用マーカ５３ｃの左端から５番目に位置するマーカ要素片５８ａを配置し、その右側に近接して第２視点用マーカ５２ｃの左端から５番目に位置するマーカ要素片５７を配置し、その右側に近接して第１視点用マーカ５１ｃの左端から５番目に位置するマーカ要素片５６ｅを配置して、第５マーカ要素片グループ（６０ａ、５９ｂ、５８ａ、５７、５６ｅ）を形成する。
【０１７３】
このようにマーカ要素を個別に配置していくと、図１１に示すようなパターンを持つマーカ５０が得られる。
【０１７４】
上述した配置法は次のように言い換えることもできる。すなわち、第１視点用マーカ要素５１ｃの五つのマーカ要素片５６ａ、５６ｂ、５６ｃ、５６ｄおよび５６ｅを、図１０（Ｃ）に示したように、マーカピッチＭＰの４倍（＝５−１）に等しい間隔をあけて一方向に並列する。次に、その並列方向のいずれか一方の側（ここでは右側）に１マーカピッチＭＰだけずらして、第２視点用マーカ要素５２ｃの五つのマーカ要素片５７をマーカピッチＭＰの４倍に等しい間隔をあけて同一方向に並列する。次に、その並列方向のいずれか一方の側（ここでは右側）に１マーカピッチＭＰだけずらして、第３視点用マーカ要素５３ｃの五つのマーカ要素片５８ａ、５８ｂをマーカピッチＭＰの４倍に等しい間隔をあけて同一方向に並列する。次に、その並列方向のいずれか一方の側（ここでは右側）に１マーカピッチＭＰだけずらして、第４視点用マーカ要素５４ｃの五つのマーカ要素片５９ａ、５９ｂをマーカピッチＭＰの４倍に等しい間隔をあけて同一方向に並列する。最後に、同じ側（ここでは右側）に１マーカピッチＭＰだけずらして、第５視点用マーカ要素５５ｃの五つのマーカ要素片６０ａ、６０ｂをマーカピッチＭＰの４倍に等しい間隔をあけて同一方向に並列する。こうして、第５視点用マーカ５５ｃ、第４視点用マーカ５４ｃ、第３視点用マーカ５３ｃ、第２視点用マーカ５２ｃおよび第１視点用マーカ５１ｃのマーカ要素片６０ａ、６０ｂおよび６０ｃ、５９ａおよび５９ｂ、５８ａおよび５８ｂ、５７、５６ａ、５６ｂ、５６ｃ、５６ｄおよび５６ｅが、一つずつ順次交互に並列され、図１１に示すパターンを持つマーカ５０が得られる。
【０１７５】
繰り返し周期ＭＣの値は、各シリンドリカルレンズ６の幅に一致するように決定され、その繰り返し周期ＭＣの値の（１／５）をマーカピッチＭＰとしている。マーカ要素片数ＭＧは２５である。つまり、ＭＣ＝５ＭＰ、ＭＧ＝５ＭＣ＝２５ＭＰという関係式が成り立つ。
【０１７６】
本第４実施形態のマーカ５０も、上記第１実施形態のマーカ４と同様に、非表示領域（額縁領域）２１において均等な間隔を空けてシリンドリカルレンズ６の長手方向と平行な辺に沿って設けられており、当該辺の上部、中部および下部の３箇所に配置されている。マーカ５０も、表示パネル３の非表示領域（額縁領域）２１にフォトリソグラフィまたは印刷方法などを用いて形成される。
【０１７７】
本第４実施形態の表示装置６１の製造方法では、レンチキュラーレンズ２を通して表示パネル３上の各マーカ５０を所定の視認距離ＡからカメラＣで撮像したとき、図１２（Ａ）〜（Ｅ）に示すような合成像６２ａ，６２ｂ，６２ｃ，６２ｄまたは６２ｅが視認される。これらの合成像６２ａ，６２ｂ，６２ｃ，６２ｄおよび６２ｅを利用することにより、レンチキュラーレンズ２を表示パネル３上の所望箇所に位置合わせして装着することができる。
【０１７８】
レンチキュラーレンズ２が、表示パネル３上の所望の位置（最適な位置）にある場合、図１２（Ｃ）に示すように、合成像６２ｃが生成される。合成像６２ｃは、縦方向に延在する２本の直線と横方向に延在する２本の直線からなるパターンであり、全体として一つの矩形を構成している。このパターンは、図１０（Ａ）のパターン要素５３ａとほぼ同じである。
【０１７９】
レンチキュラーレンズ２に対して表示パネル３が左側に少しずれていると、図１２（Ｂ）に示すようなマーカ５０の合成像６２ｂが生成される。合成像６２ｂは、横方向に延在する１本の直線からなるパターンである。このパターンは、図１０（Ａ）のパターン要素５２ａとほぼ同じである。
【０１８０】
レンチキュラーレンズ２に対して表示パネル３がさらに左側にずれていると、図１２（Ａ）に示すようなマーカ５０の合成像６２ａが生成される。合成像６２ａは、複数の小さな矩形が右上から左下に斜めに配置された階段状のパターンである。このパターンは、図１０（Ａ）のパターン要素５１ａとほぼ同じである。
【０１８１】
逆に、レンチキュラーレンズ２に対して表示パネル３が右側に少しずれていると、図１２（Ｄ）に示すようなマーカ５０の合成像６２ｄが生成される。合成像６２ｄは、縦方向に延在する１本の直線と横方向に延在する３本の破断線からなるパターンであるが、縦方向に延在する１帯と、横方向に延在する１本の帯とが直交したパターンであり、全体として十字形を構成している。このパターンは、図１０（Ａ）のパターン要素５４ａとほぼ同じである。
【０１８２】
レンチキュラーレンズ２に対して表示パネル３がさらに右側にずれていると、図１２（Ｅ）に示すようなマーカ５０の合成像６２ｅが生成される。合成像６２ｅは、複数の小さな矩形が右上から左下に向かって斜めに配置されると共に、複数の小さな矩形が左上から右下に向かって斜めに配置されており、全体として一つのＸ字形パターンを構成している。このパターンは、図１０（Ａ）のパターン要素５５ａとほぼ同じである。
【０１８３】
図１２（Ａ）〜（Ｅ）に示す合成像６２ａ，６２ｂ，６２ｃ，６２ｄおよび６２ｅは、それらのパターンが明確に異なるから、容易に区別することができる。したがって、表示パネル３とレンチキュラーレンズ２とを貼り合わせる際に、これらの合成像６２ａ，６２ｂ，６２ｃ，６２ｄおよび６２ｅのいずれが視認されるかに応じて、前記ズレ方向とズレ量を直感的に認識することができる。
【０１８４】
以上述べたように、本第４実施形態の表示装置６１は、表示パネル３に設けられているマーカ５０の各々が、第１〜第５視点用のマーカ要素５１ｃ、５２ｃ、５３ｃ、５４ｃおよび５５ｃから構成されており、上述した第１実施形態のマーカ４と同様にして作製されている。したがって、上記第１実施形態の表示装置１と同じ効果が得られる。
【０１８５】
また、本第４実施形態のマーカ５０は、五つのマーカ要素５１ｃ、５２ｃ、５３ｃ、５４ｃおよび５５ｃから構成されているので、マーカ４が三つのマーカ要素１０ｃ、１１ｃおよび１２ｃから構成されている上記第１実施形態と比較して、位置あわせの精度が若干向上するものの、上記第１実施形態のマーカ４よりもマーカ５０の構成が複雑であることから、生産性が若干低下する。
【０１８６】
（第５実施形態）
図１２は、本発明の第５実施形態に係るマーカ７０を示す平面図であり、上記第１実施形態で説明した図２（Ｄ）の構成と共通する部分に同一符号を付してある。
【０１８７】
このマーカ７０は、上述した第１実施形態のマーカ４を右回りに９０度回転させた構成を有する。すなわち、上記第１実施形態のマーカ４では、第１〜第３視点用マーカ１０ｃ、１１ｃおよび１２ｃがレンチキュラーレンズ２の光振り分け方向ｘに平行に並列されていた（マーカ要素片１２ｃが光振り分け方向ｘに直交していた）が、本第５実施形態では、第１〜第３視点用マーカ１０ｃ、１１ｃおよび１２ｃがレンチキュラーレンズ２の光振り分け方向ｘに直交する方向に並列されている（マーカ要素片１２ｃが光振り分け方向ｘに平行に延在している）。
【０１８８】
マーカ７０は、上述した第１〜第４実施形態のいずれかのマーカ４，３０，４０または５０と組み合わせて使用されるものである。例えば、第１実施形態のマーカ４と共に使用される場合、三つ（あるいは四つ以上）のマーカ４が、図４に示すように、表示パネル３の非表示領域２１の光振り分け方向ｘに直交する部分（つまり、表示パネル３の左側または右側にある額縁部）に配置されるのに対し、三つ（あるいは四つ以上）のマーカ７０が、表示パネル３の非表示領域２１の光振り分け方向ｘに平行な部分（つまり、表示パネル３の上側または下側にある額縁部）に配置される。
【０１８９】
本第５実施形態の表示装置では、図３に示したレンチキュラーレンズ２ではなく、図１３に示したレンチキュラーレンズ７１が使用される。このレンチキュラーレンズ７１は、図１３に示すように、上記第１実施形態で使用されたレンチキュラーレンズ２に、シリンドリカルレンズ７２を追加した構成である。シリンドリカルレンズ７２は、レンチキュラーレンズ２を構成する複数のシリンドリカルレンズ６（これらは光振り分け方向ｘに並列されている）に直交している。マーカ７０とシリンドリカルレンズ７２との対応関係は、図３のそれと同じである。
【０１９０】
本第５実施形態のマーカ７０を、例えば上記第１実施形態のマーカ４と組み合わせて表示パネル３上に形成すると共に、図１３に示したレンチキュラーレンズ７１を使用し、レンチキュラーレンズ７１を通して視認距離Ａからマーカ７０を視認すると、図１（Ａ）〜（Ｅ）に示した合成像５ａ，５ｂ，５ｃ，５ｄおよび５ｅのいずれかが見られる。このため、上記第１実施形態で説明したのと同様に、マーカ４とレンチキュラーレンズ２によって光振り分け方向ｘにおける位置ズレ方向および位置ズレ量を知ることができるだけでなく、マーカ７０とレンチキュラーレンズ７２によって光振り分け方向ｘに直交する方向への位置ズレ方向および位置ズレ量をも知ることができる。このように、本第５実施形態の表示装置では、光振り分け方向ｘとそれに直交する方向の双方におけるレンチキュラーレンズ７１と表示パネル３との位置合わせを同時に行うことができる。
【０１９１】
また、表示パネル３の上側または下側にある額縁部にのみマーカ７０を設けるようにすれば、上記第１実施形態と比較して、表示パネル３の上側または下側の額縁部の大きさを一段と小さくすることができる。
【０１９２】
本第５実施形態のマーカ７０を、上記第２〜第４実施形態のいずれかのマーカ３０，４０または５０と組み合わせて表示パネル３上に形成した場合も、同様である。
【０１９３】
（他の実施形態）
上述した第１〜第５の実施形態は、本発明の好適な例を示すものである。本発明はこれら実施形態に限定されず、種々の変形が可能なことは言うまでもない。
【０１９４】
例えば、上記第１〜第５実施形態では、光学的振り分け素子として、シリンドリカルレンズ６または７２を複数並列して構成されたレンチキュラーレンズ２または７１を用いているが、本発明はこれに限定されず、他の光学的振り分け素子を使用してもよい。例えば、フライアイレンズを複数並列させてなるフライアイレンズ・シートや、視差バリアを複数並列させてなる視差バリア・シート等を用いてもよい。
【０１９５】
フライアイレンズ・シートを用いる場合、表示パネル３の非表示領域２１内で、フライアイレンズの光学的振り分け方向に平行な辺に沿ってマーカを３ヶ所以上配置してもよい。バリアシートを用いる場合、表示パネル３の非表示領域２１内で、視差バリアの長手方向と平行な辺に沿ってマーカを３ヶ所以上配置してもよい。
【０１９６】
また、上述した第１〜第５実施形態においては、第１視点用マーカ要素１０ｃと第２視点用マーカ要素１１ｃと第３視点用マーカ要素１２ｃを、所定のマーカピッチＭＰで短冊形に分断して生成する場合について述べたが、本発明はこれに限定されない。第１視点用マーカ１０ｃと第２視点用マーカ１１ｃと第３視点用マーカ１２ｃを、マーカピッチＭＰとは異なる任意の幅で短冊形に分断するようにしてもよい。
【図面の簡単な説明】
【０１９７】
【図１】本発明の第１実施形態に係る表示装置の製造方法において、レンチキュラーレンズと位置合わせ用マーカの位置関係と、レンチキュラーレンズを通して表示パネル上のマーカをカメラで撮像したときに得られる合成像とを示す説明図である。
【図２】本発明の第１実施形態に係るマーカの一連の作製工程を示す平面図である。
【図３】本発明の第１実施形態に係る表示装置の製造方法において、レンズピッチ、マーカ要素ピッチ、マーカ要素繰り返し周期、マーカ要素数および視認距離の関係を示す側面説明図である。
【図４】本発明の第１実施形態に係る表示装置の製造方法において、表示パネルに設けられたマーカの配置位置と、当該マーカ上に配置されたカメラの配置位置とを示す斜視図である。
【図５】本発明の第１実施形態に係る表示装置の製造方法に使用される貼り合わせ装置の概略構成を示す側面説明図である。
【図６】本発明の第２実施形態に係る位置合わせ用マーカの構成を示す平面図である。
【図７】本発明の第２実施形態に係る表示装置の製造方法において、レンチキュラーレンズと位置合わせ用マーカの位置関係と、レンチキュラーレンズを通して表示パネル上のマーカをカメラで撮像したときに得られる合成像とを示す説明図である。
【図８】本発明の第３実施形態に係る位置合わせ用マーカの構成を示す平面図である。
【図９】本発明の第３実施形態に係る表示装置の製造方法において、レンチキュラーレンズと位置合わせ用マーカの位置関係と、レンチキュラーレンズを通して表示パネル上のマーカをカメラで撮像したときに得られる合成像とを示す説明図である。
【図１０】本発明の第４実施形態に係る位置合わせ用マーカの一連の作製工程を示す平面図である。
【図１１】本発明の第４実施形態に係る位置合わせ用マーカの構成を示す平面図である。
【図１２】本発明の第４実施形態に係る表示装置の製造方法において、レンチキュラーレンズと位置合わせ用マーカの位置関係と、レンチキュラーレンズを通して表示パネル上のマーカをカメラで撮像したときに得られる合成像とを示す説明図である。
【図１３】本発明の第５実施形態に係る位置合わせ用マーカの構成を示す平面図である。
【図１４】本発明の第５実施形態に係る表示装置の製造方法に使用されるレンチキュラーレンズの構成を示す概略斜視図である。
【図１５】本発明の第１実施形態に係る表示装置の製造方法において、マーカ繰り返し周期（マーカ要素数）と、当該マーカ繰り返し周期に対する表示パネルとレンチキュラーレンズシートとの位置あわせ精度との関係を示した表である。
【図１６】従来の第１の位置合わせ方法を示す概略斜視図である。
【図１７】従来の第２の位置合わせ方法を示す概略斜視図である。
【図１８】従来の第２の位置合わせ方法で使用される貼り合わせ装置の概略側面図である。
【図１９】従来の第３の位置合わせ方法で使用される印刷物の構成を示す平面図である。
【図２０】従来の第３の位置合わせ方法において、印刷見当が合っている場合と合っていない場合のゲージの見え方を示す部分平面図である。
【図２１】従来の第３の位置合わせ方法において、貼り合わせ見当が合っている場合と合っていない場合のゲージの状態を示す平面図である。
【図２２】従来における第３の位置合わせ方法で用いられる合成画像成を示す概略部分平面図である。
【符号の説明】
【０１９８】
１  表示装置
２  レンチキュラーレンズ（光学的振り分け素子）
３  表示パネル
４  マーカ
５ａ，５ｂ，５ｃ，５ｄ，５ｅ  合成像
６  シリンドリカルレンズ（レンズ要素）
１０ａ  第１視点用マーカ要素
１０ｂ  縮小された第１視点用マーカ要素
１０ｃ  分断された第１視点用マーカ要素
１１ａ  第２視点用マーカ要素
１１ｂ  縮小された第２視点用マーカ要素
１１ｃ  分断された第２視点用マーカ要素
１２ａ  第３視点用マーカ要素
１２ｂ  縮小された第３視点用マーカ要素
１２ｃ  分断された第３視点用マーカ要素
１５  第１視点用マーカ要素のマーカ要素片
１６ａ、１６ｂ  第２視点用マーカ要素のマーカ要素片
１７ａ、１７ｂ  第３視点用マーカ要素のマーカ要素片
２０  表示領域
２１  非表示領域
２２  貼り合わせ装置
２３  貼り合わせ装置の下ステージ
２４  貼り合わせ装置の上ステージ
３０  マーカ
３１  表示装置
３２ａ，３２ｂ，３２ｃ，３２ｄ，３２ｅ  合成像
４０  マーカ
４１  表示装置
４２ａ，４２ｂ，４２ｃ，４２ｄ，４２ｅ  合成像
５０  マーカ
５１ａ  第１視点用マーカ要素
５１ｂ  縮小された第１視点用マーカ要素
５１ｃ  分断された第１視点用マーカ要素
５２ａ  第１視点用マーカ要素
５２ｂ  縮小された第１視点用マーカ要素
５２ｃ  分断された第１視点用マーカ要素
５３ａ  第１視点用マーカ要素
５３ｂ  縮小された第１視点用マーカ要素
５３ｃ  分断された第１視点用マーカ要素
５４ａ  第１視点用マーカ要素
５４ｂ  縮小された第１視点用マーカ要素
５４ｃ  分断された第１視点用マーカ要素
５５ａ  第１視点用マーカ要素
５５ｂ  縮小された第１視点用マーカ要素
５５ｃ  分断された第１視点用マーカ要素
５６ａ、５６ｂ、５６ｃ、５６ｄ、５６ｅ  第１視点用マーカ要素のマーカ要素片
５７  第２視点用マーカ要素のマーカ要素片
５８ａ、５８ｂ  第３視点用マーカ要素のマーカ要素片
５９ａ、５９ｂ  第４視点用マーカ要素のマーカ要素片
６０ａ、６０ｂ、６０ｃ  第５視点用マーカ要素のマーカ要素片
６１  表示装置
６２ａ，６２ｂ，６２ｃ，６２ｄ，６２ｅ  合成像
７０  マーカ
７１  レンチキュラーレンズ（光学的振り分け素子）
７２  シリンドリカルレンズ
Ｃ  カメラ
ＭＣ  マーカ要素片の繰り返し周期
ＭＰ  マーカピッチ
ＭＧ  マーカに含まれるマーカ要素片数
ＲＰ  シリンドリカルレンズのレンズピッチ
【図１】
2010008811.tif 000004
【図２】
2010008811.tif 000005
【図３】
2010008811.tif 000006
【図４】
2010008811.tif 000007
【図５】
2010008811.tif 000008
【図６】
2010008811.tif 000009
【図７】
2010008811.tif 000010
【図８】
2010008811.tif 000011
【図９】
2010008811.tif 000012
【図１０】
2010008811.tif 000013
【図１１】
2010008811.tif 000014
【図１２】
2010008811.tif 000015
【図１３】
2010008811.tif 000016
【図１４】
2010008811.tif 000017
【図１５】
2010008811.tif 000018
【図１６】
2010008811.tif 000019
【図１７】
2010008811.tif 000020
【図１８】
2010008811.tif 000021
【図１９】
2010008811.tif 000022
【図２０】
2010008811.tif 000023
【図２１】
2010008811.tif 000024
【図２２】
2010008811.tif 000025